(57)【要約】本発明は、信号伝送方法及び装置、コンピュータ記憶媒体を開示し、前記方法は、端末機器が、第１のキャリアでの同期信号送信モードを決定するステップであって、前記同期信号送信モードが、第１の送信モード又は第２の送信モードであるステップと、前記端末機器が、前記同期信号送信モードに基づいて前記第１のキャリアでの情報を受信するステップと、を含む。又は、前記方法は、ネットワーク機器が、第１のキャリアでの同期信号送信モードを決定するステップであって、前記同期信号送信モードが、第１の送信モード又は第２の送信モードであるステップと、前記ネットワーク機器が、前記同期信号送信モードに従って前記第１のキャリアで前記端末機器に情報を送信するステップと、を含む。【選択図】図３
2021515428.tif 000002
【特許請求の範囲】
【請求項１】
信号伝送方法であって、前記方法は、
端末機器は、第１のキャリアでの同期信号送信モードを決定するステップであって、前記同期信号送信モードは、第１の送信モード又は第２の送信モードであるステップと、
前記端末機器は、前記同期信号送信モードに基づいて前記第１のキャリアでの情報を受信するステップと、を含む信号伝送方法。
【請求項２】
前記端末機器は、第１のキャリアでの同期信号送信モードを決定する前記ステップは、
前記端末機器は、第２のキャリアでネットワーク機器によって送信された第１の指示情報を受信するステップであって、前記第１の指示情報は、前記第１のキャリアでの同期信号送信モードが前記第１の送信モードであるか、又は前記第２の送信モードであるかを決定するためのものであるステップと、
前記端末機器は、前記第１の指示情報に基づいて前記第１のキャリアでの前記同期信号送信モードを決定するステップと、を含む請求項１に記載の方法。
【請求項３】
前記端末機器は、第１のキャリアでの同期信号送信モードを決定する前記ステップは、
前記端末機器は、第２のキャリアで前記ネットワーク機器によって送信された第１の指示情報を受信しない場合、前記端末機器は、前記第１のキャリアでの前記同期信号送信モードが前記第１の送信モードであると決定するステップをさらに含む請求項１又は請求項２に記載の方法。
【請求項４】
前記同期信号送信モードが前記第１の送信モードである場合、前記端末機器は、前記同期信号送信モードに基づいて前記第１のキャリアでの情報を受信する前記ステップは、
前記端末機器は、前記第１のキャリアでの第１の同期信号ブロックＳＳＢを受信するステップであって、前記第１のＳＳＢは、プライマリ同期信号、セカンダリ同期信号及び第１の物理ブロードキャストチャネルＰＢＣＨを含むステップを含む請求項１〜請求項３のいずれか１項に記載の方法。
【請求項５】
前記同期信号送信モードが前記第２の送信モードである場合、前記端末機器は、前記同期信号送信モードに基づいて前記第１のキャリアでの情報を受信する前記ステップは、
前記端末機器は、前記第１のキャリアでの第２のＳＳＢを受信するステップであって、前記第２のＳＳＢは、プライマリ同期信号、セカンダリ同期信号及び第２のＰＢＣＨを含むステップを含む請求項１〜請求項４のいずれか１項に記載の方法。
【請求項６】
前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをするときに使用されるパワー閾値のうち少なくとも１種の情報を含む請求項５に記載の方法。
【請求項７】
前記同期信号送信モードが前記第２の送信モードである場合、前記端末機器は、前記同期信号送信モードに基づいて前記第１のキャリアでの情報を受信する前記ステップは、
前記端末機器は、前記第１のキャリアでの同期信号ＳＳを受信するステップであって、前記ＳＳは、プライマリ同期信号とセカンダリ同期信号を含むステップを含む請求項１〜請求項４のいずれか１項に記載の方法。
【請求項８】
第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない請求項７に記載の方法。
【請求項９】
前記ネットワーク機器が配置されている通信ネットワークはキャリアアグリゲーションＣＡデプロイメントである場合、前記第１のキャリアでの前記同期信号送信モードが前記第２の送信モードであり、
前記ネットワーク機器が配置されている通信ネットワークはＣＡデプロイメントではない場合、前記第１のキャリアでの前記同期信号送信モードが前記第１の送信モードである請求項１〜請求項８のいずれか１項に記載の方法。
【請求項１０】
前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである請求項１〜請求項９のいずれか１項に記載の方法。
【請求項１１】
信号伝送方法であって、前記方法は、
ネットワーク機器は、第１のキャリアでの同期信号送信モードを決定するステップであって、前記同期信号送信モードは、第１の送信モード又は第２の送信モードであるステップと、
前記ネットワーク機器は、前記同期信号送信モードに従って前記第１のキャリアで前記端末機器に情報を送信するステップと、を含む信号伝送方法。
【請求項１２】
前記方法は、
前記ネットワーク機器は、第２のキャリアで前記端末機器に第１の指示情報を送信するステップであって、前記第１の指示情報は、前記第１のキャリアでの同期信号送信モードが前記第１の送信モードであるか、又は前記第２の送信モードであるかを決定するためのものであるステップをさらに含む請求項１１に記載の方法。
【請求項１３】
前記同期信号送信モードが前記第１の送信モードである場合、前記ネットワーク機器は、前記同期信号送信モードに従って前記第１のキャリアで前記端末機器に情報を送信する前記ステップは、
前記ネットワーク機器は、前記第１のキャリアで第１のＳＳＢを送信ステップであって、前記第１のＳＳＢは、プライマリ同期信号、セカンダリ同期信号及び第１のＰＢＣＨを含むステップを含む請求項１１又は請求項１２に記載の方法。
【請求項１４】
前記同期信号送信モードが前記第２の送信モードである場合、前記ネットワーク機器は、前記同期信号送信モードに従って前記第１のキャリアで前記端末機器に情報を送信する前記ステップは、
前記ネットワーク機器は、前記第１のキャリアで第２のＳＳＢを送信するステップであって、前記第２のＳＳＢは、プライマリ同期信号、セカンダリ同期信号及び第２のＰＢＣＨを含むステップを含む請求項１１〜請求項１３のいずれか１項に記載の方法。
【請求項１５】
前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをするときに使用されるパワー閾値のうち少なくとも１種の情報を含む請求項１４に記載の方法。
【請求項１６】
前記同期信号送信モードが前記第２の送信モードである場合、前記ネットワーク機器は、前記同期信号送信モードに従って前記第１のキャリアで前記端末機器に情報を送信する前記ステップは、
前記ネットワーク機器は、前記第１のキャリアでＳＳを送信するステップであって、前記ＳＳは、プライマリ同期信号とセカンダリ同期信号を含むステップを含む請求項１１〜請求項１３のいずれか１項に記載の方法。
【請求項１７】
第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない請求項１６に記載の方法。
【請求項１８】
前記ネットワーク機器は、第１のキャリアでの同期信号送信モードを決定する前記ステップは、
前記ネットワーク機器が配置されている通信ネットワークはＣＡデプロイメントである場合、前記ネットワーク機器は、前記第１のキャリアでの前記同期信号送信モードが前記第２の送信モードであると決定するステップと、
前記ネットワーク機器が配置されている通信ネットワークはＣＡデプロイメントではない場合、前記ネットワーク機器は、前記第１のキャリアでの前記同期信号送信モードが前記第１の送信モードであると決定するステップと、を含む請求項１１〜請求項１７のいずれか１項に記載の方法。
【請求項１９】
前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである請求項１１〜請求項１８のいずれか１項に記載の方法。
【請求項２０】
信号伝送装置であって、端末機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに基づいて前記第１のキャリアでの情報を受信するための第１の受信ユニットと、を含む信号伝送装置。
【請求項２１】
前記装置は、
第２のキャリアでネットワーク機器によって送信された第１の指示情報を受信するための第２の受信ユニットであって、前記第１の指示情報は、前記第１のキャリアでの同期信号送信モードが前記第１の送信モードであるか、又は前記第２の送信モードであるかを決定するためのものである第２の受信ユニットをさらに含み、
前記決定ユニットは、前記第１の指示情報に基づいて前記第１のキャリアでの前記同期信号送信モードを決定するためのものである請求項２０に記載の装置。
【請求項２２】
第２の受信ユニットは、第２のキャリアで前記ネットワーク機器によって送信された第１の指示情報を受信しない場合、前記決定ユニットは、前記第１のキャリアでの前記同期信号送信モードが前記第１の送信モードであると決定するためのものである請求項２０又は請求項２１に記載の装置。
【請求項２３】
前記同期信号送信モードが前記第１の送信モードであり、相応的に、
前記第１の受信ユニットは、前記第１のキャリアでの第１のＳＳＢを受信するためのものであり、前記第１のＳＳＢは、プライマリ同期信号、セカンダリ同期信号及び第１のＰＢＣＨを含む請求項２０〜請求項２２のいずれか１項に記載の装置。
【請求項２４】
前記同期信号送信モードが前記第２の送信モードであり、相応的に、
前記第１の受信ユニットは、前記第１のキャリアでの第２のＳＳＢを受信するためのものであり、前記第２のＳＳＢは、プライマリ同期信号、セカンダリ同期信号及び第２のＰＢＣＨを含む請求項２０〜請求項２３のいずれか１項に記載の装置。
【請求項２５】
前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをするときに使用されるパワー閾値のうち少なくとも１種の情報を含む請求項２４に記載の装置。
【請求項２６】
前記同期信号送信モードが前記第２の送信モードであり、相応的に、
前記第１の受信ユニットは、前記第１のキャリアでのＳＳを受信するためのものであり、前記ＳＳは、プライマリ同期信号とセカンダリ同期信号を含む請求項２０〜請求項２３のいずれか１項に記載の装置。
【請求項２７】
第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない請求項２６に記載の装置。
【請求項２８】
前記ネットワーク機器が配置されている通信ネットワークはキャリアアグリゲーションＣＡデプロイメントである場合、前記第１のキャリアでの前記同期信号送信モードが前記第２の送信モードであり、
前記ネットワーク機器が配置されている通信ネットワークはＣＡデプロイメントではない場合、前記第１のキャリアでの前記同期信号送信モードが前記第１の送信モードである請求項２０〜請求項２７のいずれか１項に記載の装置。
【請求項２９】
前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである請求項２０〜請求項２８のいずれか１項に記載の装置。
【請求項３０】
信号伝送装置であって、ネットワーク機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに従って前記第１のキャリアで前記端末機器に情報を送信するための第１の送信ユニットと、を含む信号伝送装置。
【請求項３１】
前記装置は、
第２のキャリアで前記端末機器に第１の指示情報を送信するための第２の送信ユニットであって、前記第１の指示情報は、前記第１のキャリアでの同期信号送信モードが前記第１の送信モードであるか、又は前記第２の送信モードであるかを決定するためのものである第２の送信ユニットをさらに含む請求項３０に記載の装置。
【請求項３２】
前記同期信号送信モードが前記第１の送信モードであり、相応的に、
前記第１の送信ユニットは、前記第１のキャリアで第１のＳＳＢを送信するためのものであり、前記第１のＳＳＢは、プライマリ同期信号、セカンダリ同期信号及び第１のＰＢＣＨを含む請求項３０又は請求項３１に記載の装置。
【請求項３３】
前記同期信号送信モードが前記第２の送信モードであり、相応的に、
前記第１の送信ユニットは、前記第１のキャリアで第２のＳＳＢを送信するためのものであり、前記第２のＳＳＢは、プライマリ同期信号、セカンダリ同期信号及び第２のＰＢＣＨを含む請求項３０〜請求項３２のいずれか１項に記載の装置。
【請求項３４】
前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをするときに使用されるパワー閾値のうち少なくとも１種の情報を含む請求項３３に記載の装置。
【請求項３５】
前記同期信号送信モードが前記第２の送信モードであり、相応的に、
前記第１の送信ユニットは、前記第１のキャリアでＳＳを送信するためのものであり、前記ＳＳは、プライマリ同期信号とセカンダリ同期信号を含む請求項３０〜請求項３２のいずれか１項に記載の装置。
【請求項３６】
第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない請求項３５に記載の装置。
【請求項３７】
前記ネットワーク機器が配置されている通信ネットワークはＣＡデプロイメントである場合、前記決定ユニットは、前記第１のキャリアでの前記同期信号送信モードが前記第２の送信モードであると決定し、
前記ネットワーク機器が配置されている通信ネットワークはＣＡデプロイメントではない場合、前記決定ユニットは、前記第１のキャリアでの前記同期信号送信モードが前記第１の送信モードであると決定する請求項３０〜請求項３６のいずれか１項に記載の装置。
【請求項３８】
前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである請求項３０〜請求項３７のいずれか１項に記載の装置。
【請求項３９】
コンピュータ記憶媒体であって、コンピュータ実行可能な命令が記憶されており、前記コンピュータ実行可能な命令がプロセッサによって実行されるとき、請求項１〜請求項１０のいずれか１項に記載の方法のステップ、または、請求項１１〜請求項１９のいずれか１項に記載の方法のステップを実現するコンピュータ記憶媒体。
【発明の詳細な説明】
【技術分野】
【０００１】
本発明は、無線通信技術の分野に関し、特に信号伝送方法及び装置、コンピュータ記憶媒体に関する。
【背景技術】
【０００２】
無線通信技術の発展に伴い、ロングタームエボリューション（ＬＴＥ、Ｌｏｎｇ  Ｔｅｒｍ  Ｅｖｏｌｕｔｉｏｎ）システムに基づくライセンスドアシストアクセスシステム（ＬＡＡ−ＬＴＥ、Ｌｉｃｅｎｓｅｄ−Ａｓｓｉｓｔｅｄ  Ａｃｃｅｓｓ−Ｌｏｎｇ  Ｔｅｒｍ  Ｅｖｏｌｕｔｉｏｎ）は、キャリアアグリゲーション構造を基とし、ライセンスドスペクトルでのキャリアをメインキャリアとし、ライセンスフリーのスペクトルでのキャリアをセカンダリキャリアとして、端末機器にサービスを提供する。ＬＡＡ−ＬＴＥシステムでは、メインキャリアは、端末機器の初期アクセス及びいくつかの主要なサービスの送信パフォーマンスを確保するために使用されることができる一方、ライセンスフリーのスペクトルでのセカンダリキャリアは、端末機器の主要ではないビッグデータサービスを送信するために使用されることができ、これにより、ＬＴＥセルの負荷のバランスをとるという目的を達成する。
【０００３】
ＬＡＡ−ＬＴＥシステムにおけるダウンリンク信号伝送の過程では、ネットワーク機器は、ライセンスフリーのキャリアで発見参照信号（ＤＲＳ、Ｄｉｓｃｏｖｅｒｙ  Ｓｉｇｎａｌ）を送信する必要があり、これにより、ローカルセルの端末機器が、ライセンスフリーのキャリアでのセルとの同期を完了することができ、隣接セルの端末機器が、ローカルセル信号に対する無線リソース管理（ＲＲＭ、Ｒａｄｉｏ  Ｒｅｓｏｕｒｃｅ  Ｍａｎａｇｅｍｅｎｔ）測定を完了できるようにすることができる。そのうち、ＬＴＥシステムにおけるＤＲＳは、プライマリ同期信号（ＰＳＳ、Ｐｒｉｍａｒｙ  Ｓｙｎｃｈｒｏｎｉｚａｔｉｏｎ  Ｓｉｇｎａｌ）、セカンダリ同期信号（ＳＳＳ、Ｓｅｃｏｎｄａｒｙ  Ｓｙｎｃｈｒｏｎｉｚａｔｉｏｎ  Ｓｉｇｎａｌ）、セル固有参照信号（ＣＲＳ、Ｃｅｌｌ−ｓｐｅｃｉｆｉｃ  Ｒｅｆｅｒｅｎｃｅ  Ｓｉｇｎａｌ）を含み、選択的に、ＤＲＳは、チャネル状態情報参照信号（ＣＳＩ−ＲＳ、Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ）を含んでもよい。
【０００４】
図１に示すように、ＤＲＳがＰＳＳ、ＳＳＳ及びＣＲＳを含むことを例として、ＬＡＡ−ＬＴＥシステムにおけるＤＲＳの送信を説明する。ライセンスフリーのスペクトルでは、ネットワーク機器は、リッスンビフォアトーク（ＬＢＴ、Ｌｉｓｔｅｎ  Ｂｅｆｏｒｅ  Ｔａｌｋ）原則の検出を通じてチャネル使用権を取得した後に、ＤＲＳを、ネットワーク機器が端末機器のために設定した発見信号測定タイミング設定（ＤＭＴＣ、Ｄｉｓｃｏｖｅｒｙ  Ｓｉｇｎａｌｓ  Ｍｅａｓｕｒｅｍｅｎｔ  Ｔｉｍｉｎｇ  Ｃｏｎｆｉｇｕｒａｔｉｏｎ）ウィンドウで送信することができ、ＤＲＳは、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）／物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）／拡張物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）などのチャネルとともに送信される場合、番号０のサブフレーム（図１における＃０）又は番号５のサブフレーム（図１における＃５）のみで送信されることができる。ＤＲＳが単独的に送信され、即ち、ＤＲＳがＰＤＳＣＨ／ＰＤＣＣＨ／ＥＰＤＣＣＨなどのチャネルとともに送信されない場合、ＤＲＳは、ＬＢＴが成功するＤＭＴＣウィンドウ内の１番目のサブフレームでＤＲＳ信号を送信する。ＤＲＳは、１つのサブフレームで送信される場合、当該サブフレームの最初の１２つのシンボルを占有し、図１に示すように、ＰＳＳとＳＳＳは、シンボル５とシンボル６を占有し、ＣＲＳは、シンボル０、シンボル４、シンボル７及びシンボル１１を占有する。
【０００５】
ニューラジオ（ＮＲ、Ｎｅｗ  Ｒａｄｉｏ）技術をライセンスフリーのスペクトルに適用する場合、例えば、キャリアアグリゲーション（ＣＡ、Ｃａｒｒｉｅｒ  Ａｇｇｒｅｇａｔｉｏｎ）デプロイメント、デュアル接続（ＤＣ、Ｄｕａｌ  Ｃｏｎｎｅｃｔｉｖｉｔｙ）デプロイメント又は独立（ＳＡ、Ｓｔａｎｄａｌｏｎｅ）デプロイメントなどの複数のネットワークデプロイメント方法が考えられ、ＬＴＥ−ＬＡＡシステムがＣＡデプロイメントのみをサポートするため、従来のＬＡＡ−ＬＴＥシステムでのＤＲＳ送信方法を上記ＮＲシステムに基づくネットワークデプロイメント方法に適用する場合、ニーズを満たすことができない。
【発明の概要】
【発明が解決しようとする課題】
【０００６】
本発明の実施例は、上記技術的課題を解決するために、信号伝送方法及び装置、コンピュータ記憶媒体を提供する。
【課題を解決するための手段】
【０００７】
本発明の実施例に係る信号伝送方法は、
端末機器は、第１のキャリアでの同期信号送信モードを決定するステップであって、前記同期信号送信モードが、第１の送信モード又は第２の送信モードであるステップと、
前記端末機器は、前記同期信号送信モードに基づいて前記第１のキャリアでの情報を受信するステップと、を含む。
【０００８】
１つの実施形態では、端末機器は第１のキャリアでの同期信号送信モードを決定する前記ステップは、
前記端末機器は、第２のキャリアでネットワーク機器によって送信された第１の指示情報を受信するステップであって、前記第１の指示情報は、前記第１のキャリアでの同期信号送信モードが前記第１の送信モードであるか、又は前記第２の送信モードであるかを決定するためのものであるステップと、
前記端末機器は、前記第１の指示情報に基づいて前記第１のキャリアでの前記同期信号送信モードを決定するステップと、を含む。
【０００９】
１つの実施形態では、端末機器は、第１のキャリアでの同期信号送信モードを決定する前記ステップは、
前記端末機器は、第２のキャリアで前記ネットワーク機器によって送信された第１の指示情報を受信しない場合、前記端末機器は、前記第１のキャリアでの前記同期信号送信モードが前記第１の送信モードであると決定するステップをさらに含む。
【００１０】
１つの実施形態では、端末機器は、第１のキャリアでの同期信号送信モードを決定する前記ステップは、
前記端末機器は、前記第１のキャリアを介してネットワークにアクセスする場合、前記端末機器が、前記第１のキャリアでの前記同期信号送信モードが前記第１の送信モードであると決定するステップをさらに含む。
【００１１】
１つの実施形態では、前記同期信号送信モードが前記第１の送信モードである場合、前記端末機器は、前記同期信号送信モードに基づいて前記第１のキャリアでの情報を受信する前記ステップは、
前記端末機器は、前記第１のキャリアでの第１の同期信号ブロック（ＳＳＢ、Ｓｙｎｃｈｒｏｎｉｚａｔｉｏｎ  Ｓｉｇｎａｌ  Ｂｌｏｃｋ）を受信するステップであって、前記第１のＳＳＢは、プライマリ同期信号、セカンダリ同期信号及び第１の物理ブロードキャストチャネル（ＰＢＣＨ、Ｐｈｙｓｉｃａｌ  Ｂｒｏａｄｃａｓｔ  Ｃｈａｎｎｅｌ）を含むステップを含む。
【００１２】
１つの実施形態では、前記第１のＰＢＣＨに端末機器の初期アクセス用のＭＩＢ情報が含まれる。
【００１３】
１つの実施形態では、前記同期信号送信モードが前記第２の送信モードである場合、前記端末機器は、前記同期信号送信モードに基づいて前記第１のキャリアでの情報を受信する前記ステップは、
前記端末機器は、前記第１のキャリアでの第２のＳＳＢを受信するステップであって、前記第２のＳＳＢは、プライマリ同期信号、セカンダリ同期信号及び第２のＰＢＣＨを含むステップを含む。
【００１４】
１つの実施形態では、前記第２のＰＢＣＨによって送信された情報と前記第１のＰＢＣＨによって送信された情報のうち少なくとも１つが違う。
【００１５】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００１６】
１つの実施形態では、前記同期信号送信モードが前記第２の送信モードである場合、前記端末機器は、前記同期信号送信モードに基づいて前記第１のキャリアでの情報を受信する前記ステップは、
前記端末機器は、前記第１のキャリアでの同期信号ＳＳを受信するステップであって、前記ＳＳは、プライマリ同期信号とセカンダリ同期信号を含むステップを含む。
【００１７】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００１８】
１つの実施形態では、前記ネットワーク機器が配置されている通信ネットワークはＣＡデプロイメントである場合、前記第１のキャリアでの前記同期信号送信モードが前記第２の送信モードであり、
前記ネットワーク機器が配置されている通信ネットワークはＣＡデプロイメントではない場合、前記第１のキャリアでの前記同期信号送信モードが前記第１の送信モードである。
【００１９】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００２０】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００２１】
本発明の実施例に係る信号伝送方法は、
ネットワーク機器は、第１のキャリアでの同期信号送信モードを決定するステップであって、前記同期信号送信モードは、第１の送信モード又は第２の送信モードであるステップと、
前記ネットワーク機器は、前記同期信号送信モードに従って前記第１のキャリアで前記端末機器に情報を送信するステップと、を含む。
【００２２】
１つの実施形態では、前記方法は、
前記ネットワーク機器は、第２のキャリアで前記端末機器に第１の指示情報を送信するステップであって、前記第１の指示情報は、前記第１のキャリアでの同期信号送信モードが前記第１の送信モードであるか、又は前記第２の送信モードであるかを決定するためのものであるステップをさらに含む。
【００２３】
１つの実施形態では、前記同期信号送信モードが前記第１の送信モードである場合、前記ネットワーク機器は、前記同期信号送信モードに従って前記第１のキャリアで前記端末機器に情報を送信する前記ステップは、
前記ネットワーク機器は、前記第１のキャリアで第１のＳＳＢを送信するステップであって、前記第１のＳＳＢは、プライマリ同期信号、セカンダリ同期信号及び第１のＰＢＣＨを含むステップを含む。
【００２４】
１つの実施形態では、前記同期信号送信モードが前記第２の送信モードである場合、前記ネットワーク機器は、前記同期信号送信モードに従って前記第１のキャリアで前記端末機器に情報を送信する前記ステップは、
前記ネットワーク機器は、前記第１のキャリアで第２のＳＳＢを送信するステップであって、前記第２のＳＳＢは、プライマリ同期信号、セカンダリ同期信号及び第２のＰＢＣＨを含むステップを含む。
【００２５】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００２６】
１つの実施形態では、前記同期信号送信モードが前記第２の送信モードである場合、前記ネットワーク機器は、前記同期信号送信モードに従って前記第１のキャリアで前記端末機器に情報を送信する前記ステップは、
前記ネットワーク機器は、前記第１のキャリアでＳＳを送信するステップであって、前記ＳＳは、プライマリ同期信号とセカンダリ同期信号を含むステップを含む。
【００２７】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００２８】
１つの実施形態では、前記ネットワーク機器は、第１のキャリアでの同期信号送信モードを決定する前記ステップは、
前記ネットワーク機器が配置されている通信ネットワークはＣＡデプロイメントである場合、前記ネットワーク機器は、前記第１のキャリアでの前記同期信号送信モードが前記第２の送信モードであると決定するステップと、
前記ネットワーク機器が配置されている通信ネットワークはＣＡデプロイメントではない場合、前記ネットワーク機器は、前記第１のキャリアでの前記同期信号送信モードが前記第１の送信モードであると決定するステップと、を含む。
【００２９】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００３０】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００３１】
本発明の実施例に係る信号伝送装置は、端末機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに基づいて前記第１のキャリアでの情報を受信するための第１の受信ユニットと、を含む。
【００３２】
１つの実施形態では、前記装置は、
第２のキャリアでネットワーク機器によって送信された第１の指示情報を受信するための第２の受信ユニットであって、前記第１の指示情報は、前記第１のキャリアでの同期信号送信モードが前記第１の送信モードであるか、又は前記第２の送信モードであるかを決定するためのものである第２の受信ユニットをさらに含み、
前記決定ユニットは、前記第１の指示情報に基づいて前記第１のキャリアでの前記同期信号送信モードを決定するためのものである。
【００３３】
１つの実施形態では、第２の受信ユニットは、第２のキャリアで前記ネットワーク機器によって送信された第１の指示情報を受信しない場合、前記決定ユニットは、前記第１のキャリアでの前記同期信号送信モードが前記第１の送信モードであると決定するためのものである。
【００３４】
１つの実施形態では、前記同期信号送信モードが前記第１の送信モードであり、相応的に、
前記第１の受信ユニットは、前記第１のキャリアでの第１のＳＳＢを受信するためのものであり、前記第１のＳＳＢは、プライマリ同期信号、セカンダリ同期信号及び第１のＰＢＣＨを含む。
【００３５】
１つの実施形態では、前記同期信号送信モードが前記第２の送信モードであり、相応的に、
前記第１の受信ユニットは、前記第１のキャリアでの第２のＳＳＢを受信するためのものであり、前記第２のＳＳＢは、プライマリ同期信号、セカンダリ同期信号及び第２のＰＢＣＨを含む。
【００３６】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００３７】
１つの実施形態では、前記同期信号送信モードが前記第２の送信モードであり、相応的に、
前記第１の受信ユニットは、前記第１のキャリアでのＳＳを受信するためのものであり、前記ＳＳは、プライマリ同期信号とセカンダリ同期信号を含む。
【００３８】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００３９】
１つの実施形態では、前記ネットワーク機器が配置されている通信ネットワークはキャリアアグリゲーションＣＡデプロイメントである場合、前記第１のキャリアでの前記同期信号送信モードが前記第２の送信モードであり、
前記ネットワーク機器が配置されている通信ネットワークはＣＡデプロイメントではない場合、前記第１のキャリアでの前記同期信号送信モードが前記第１の送信モードである。
【００４０】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００４１】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００４２】
本発明の実施例に係る信号伝送装置は、ネットワーク機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに従って前記第１のキャリアで前記端末機器に情報を送信するための第１の送信ユニットと、を含む。
【００４３】
１つの実施形態では、前記装置は、
第２のキャリアで前記端末機器に第１の指示情報を送信するための第２の送信ユニットであって、前記第１の指示情報は、前記第１のキャリアでの同期信号送信モードが前記第１の送信モードであるか、又は前記第２の送信モードであるかを決定するためのものである第２の送信ユニットをさらに含む。
【００４４】
１つの実施形態では、前記同期信号送信モードが前記第１の送信モードであり、相応的に、
前記第１の送信ユニットは、前記第１のキャリアで第１のＳＳＢを送信するためのものであり、前記第１のＳＳＢは、プライマリ同期信号、セカンダリ同期信号及び第１のＰＢＣＨを含む。
【００４５】
１つの実施形態では、前記同期信号送信モードが前記第２の送信モードであり、相応的に、
前記第１の送信ユニットは、前記第１のキャリアで第２のＳＳＢを送信するためのものであり、前記第２のＳＳＢは、プライマリ同期信号、セカンダリ同期信号及び第２のＰＢＣＨを含む。
【００４６】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００４７】
１つの実施形態では、前記同期信号送信モードが前記第２の送信モードであり、相応的に、
前記第１の送信ユニットは、前記第１のキャリアでＳＳを送信するためのものであり、前記ＳＳは、プライマリ同期信号とセカンダリ同期信号を含む。
【００４８】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００４９】
１つの実施形態では、前記ネットワーク機器が配置されている通信ネットワークはＣＡデプロイメントである場合、前記決定ユニットは、前記第１のキャリアでの前記同期信号送信モードが前記第２の送信モードであると決定し、
前記ネットワーク機器が配置されている通信ネットワークはＣＡデプロイメントではない場合、前記決定ユニットは、前記第１のキャリアでの前記同期信号送信モードが前記第１の送信モードであると決定する。
【００５０】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００５１】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００５２】
本発明の実施例に係るコンピュータ記憶媒体は、コンピュータ実行可能な命令が記憶されており、当該コンピュータ実行可能な命令がプロセッサによって実行されるとき、上記の信号伝送方法を実現する。
【発明の効果】
【００５３】
本発明の実施例の技術的解決手段では、ＣＡデプロイメントのライセンスフリーのスペクトルでのキャリアについて、ネットワーク機器は、端末機器に初期アクセス用のＰＢＣＨを送信する必要がないため、この場合、ネットワーク機器は、端末機器のデータを送信支援するために、ＰＢＣＨで送信された内容を修正することができ、または、ネットワーク機器は、リソース使用率を高めるために、ＰＢＣＨを送信するための周波数ドメインリソースをデータチャネル又は制御チャネルの送信に使用することができる。また、ネットワーク機器は、ライセンスドスペクトルでのキャリアを介して端末機器に指示情報を送信することができ、これにより、当該ライセンスフリーのスペクトルでのキャリアサービスの端末機器が同期信号を正確に受信できる。
【図面の簡単な説明】
【００５４】
本明細書で説明する図面は、本発明に対する更なる理解を提供するためのものであり、本願の一部を構成し、本発明の例示的実施例及びその説明は、本発明を解釈するためのものであり、本発明に対する過度な制限を構成するものではない。
【図１】ＤＭＴＣウィンドウでＤＲＳを送信する時間ドメインの構造概略図である。
【図２】ＳＳＢの時間周波数リソースの概略図である。
【図３】本発明の実施例に係る信号伝送方法のフローチャート１である。
【図４】本発明の実施例に係る信号伝送方法のフローチャート２である。
【図５】本発明の実施例に係る信号伝送装置の構造構成概略図１である。
【図６】本発明の実施例に係る信号伝送装置の構造構成概略図２である。
【図７】本発明の実施例に係るコンピュータ機器の構造構成概略図である。
【発明を実施するための形態】
【００５５】
本発明の実施例に係る技術的解決手段の理解を容易にするために、以下は、本発明の実施例に係る関連技術を説明する。
【００５６】
１）ライセンスフリーのスペクトル
ライセンスフリーのスペクトルは、無線機器の通信に使用できる国と地域によって割り当てられたスペクトルである。当該スペクトルは、一般的に共有スペクトルと見なされ、即ち、異なる通信システムでの通信機器は、政府に専用のスペクトルライセンスを申請する必要がなく、当該スペクトルで国又は地域によって設定された規制要件さえ満たされれば、当該スペクトルを使用できる。ライセンスフリーのスペクトルを使用して無線通信をする様々な通信システムが当該スペクトルで友好的に共存できるようにするために、いくつかの国又は地域では、ライセンスフリーのスペクトルを使用するには、満たす必要のある規制要件を規定している。例えば、ヨーロッパ地域では、通信機器はＬＢＴの原則に遵い、即ち、通信機器は、ライセンスフリーのスペクトルのチャネルで信号を送信する前に、先にチャネルセンシングを行う必要があり、チャネルセンシングの結果はチャネルがアイドルである場合のみ、当該通信機器は信号を送信することができ、ライセンスフリーのスペクトルのチャネルでの通信機器のチャネルセンシング結果はチャネルがビジーである場合、当該通信機器は信号を送信することができない。かつ、公平性を確保するために、１回の送信では、通信機器がライセンスフリーのスペクトルのチャネルを使用して信号送信をする時間数は最大チャネル占有時間（ＭＣＯＴ、Ｍａｘｉｍｕｍ  Ｃｈａｎｎｅｌ  Ｏｃｃｕｐａｔｉｏｎ  Ｔｉｍｅ）を超えてはいけない。また、例えば、ライセンスフリーのスペクトルのチャネルで送信される信号にサブバンド干渉を引き起こさないために、また、ライセンスフリーのスペクトルのチャネルを検出する時の通信機器の検出精度を向上させるために、ライセンスフリーのスペクトルのチャネルで送信される信号は、当該チャネル帯域幅の少なくとも一定の割合を占有する必要があり、例えば、５ＧＨｚ帯域は、信号が占有するチャネル帯域幅の８０％であり、６０ＧＨｚ帯域は、信号が占有するチャネル帯域幅の７０％である。また、例えば、ライセンスフリーのスペクトルのチャネルで送信される信号のパワーが大きすぎて、レーダー信号などの当該チャネルでの他の重要な信号の送信に影響を与えないようにするために、規制は、信号送信にライセンスフリーのスペクトルのチャネルを使用する場合の通信機器の最大パワースペクトル密度を規定している。
【００５７】
２）ネットワークアーキテクチャ
本発明の実施例は、例えば、グローバルモバイルコミュニケーション（ＧＳＭ（登録商標）、Ｇｌｏｂａｌ  Ｓｙｓｔｅｍ  ｏｆ  Ｍｏｂｉｌｅ  ｃｏｍｍｕｎｉｃａｔｉｏｎ）システム、コードディビシオンマルチプルアクセス（ＣＤＭＡ、Ｃｏｄｅ  Ｄｉｖｉｓｉｏｎ  Ｍｕｌｔｉｐｌｅ  Ａｃｃｅｓｓ）システム、広帯域コード分割多重アクセス（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、汎用モバイル通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＬＴＥ（登録商標）システム及びＬＴＥシステムのエボリューションシステム、例えば、先進的ロングタームエボリューション（ＬＴＥ−Ａ、Ａｄｖａｎｃｅｄ  Ｌｏｎｇ  Ｔｅｒｍ  Ｅｖｏｌｕｔｉｏｎ）システム、ＮＲシステム及びＮＲシステムのエボリューションシステム、例えば、ライセンスフリーのスペクトルでのＮＲ（ＮＲ−Ｕ、ＮＲ−ｂａｓｅｄ  ａｃｃｅｓｓ  ｔｏ  Ｕｎｌｉｃｅｎｓｅｄ  ｓｐｅｃｔｒｕｍ）システム、又は次世代通信システムなど様々な通信システムに適用できる。
【００５８】
本発明の実施例はさらに、デバイスツーデバイス（Ｄ２Ｄ、Ｄｅｖｉｃｅ  ｔｏ  Ｄｅｖｉｃｅ）通信、マシンツーマシン（Ｍ２Ｍ、Ｍａｃｈｉｎｅ  ｔｏ  Ｍａｃｈｉｎｅ）通信、マシンタイプ通信（ＭＴＣ、Ｍａｃｈｉｎｅ  Ｔｙｐｅ  Ｃｏｍｍｕｎｉｃａｔｉｏｎ）、及び車両対車両（Ｖ２Ｖ、Ｖｅｈｉｃｌｅ  ｔｏ  Ｖｅｈｉｃｌｅ）通信に適用できる。
【００５９】
本発明の実施例における通信システムはライセンスドスペクトルに適用でき、そのうち、ライセンスドスペクトルは、ネットワーク機器専用のスペクトルである。本発明の実施例における通信システムはさらに、ライセンスフリーのスペクトルに適用でき、そのうち、ライセンスフリーのスペクトルは、例えば、２．４ＧＨｚ、５ＧＨｚ、３７ＧＨｚ又は６０ＧＨｚのスペクトルなど少なくとも２つの通信機器によって共有されるスペクトルである。
【００６０】
本発明の実施例における通信システムは、ＣＡデプロイメントシーンに適用されてもよいし、ＤＣデプロイメントシーンにも、ＳＡデプロイメントシーンにも適用されてもよい。
【００６１】
本発明の実施例における通信システムは、ライセンスフリーのスペクトルに適用され、かつ、デプロイメントシーンはＣＡである場合、当該ＣＡデプロイメントシーンは、メインキャリアがライセンスドスペクトル上に、セカンダリキャリアがライセンスフリーのスペクトル上にあり、メインキャリアとセカンダリキャリアが理想的バックホール（ｂａｃｋｈａｕｌ）によって接続されるものであってもよい。
【００６２】
本発明の実施例における通信システムは、ライセンスフリーのスペクトルに適用され、かつ、デプロイメントシーンはＤＣである場合、当該ＤＣデプロイメントシーンは、メインキャリアがライセンスドスペクトル上に、セカンダリキャリアがライセンスフリーのスペクトル上にあり、メインキャリアとセカンダリキャリアが非理想的ｂａｃｋｈａｕｌによって接続されるものであってもよく、そのうち、メインキャリアでのシステムとセカンダリキャリアでのシステムは異なるシステムに属してもよく、例えば、メインキャリアでのシステムはＬＴＥシステムであり、セカンダリキャリアでのシステムはＮＲシステムであり、または、メインキャリアでのシステムとセカンダリキャリアでのシステムはまた、同様のシステムに属してもよく、例えば、メインキャリアとセカンダリキャリアでのシステムは、いずれもＬＴＥシステムであるか又はいずれもＮＲシステムである。
【００６３】
本発明の実施例における通信システムは、ライセンスフリーのスペクトルに適用され、かつ、デプロイメントシーンはＳＡである場合、端末機器は、ライセンスフリーのスペクトルでのシステムによってネットワークにアクセスできる。
【００６４】
本発明の実施例は、ネットワーク機器と端末機器を合わせて各実施例を説明し、そのうち、
端末機器は、ユーザ機器（ＵＥ、Ｕｓｅｒ  Ｅｑｕｉｐｍｅｎｔ）、アクセス端末、ユーザユニット、ユーザステーション、モバイルテーション、モバイル局、遠方ステーション、リモート端末、モバイル機器、ユーザ端末、端末、無線通信機器、ユーザエージェント又はユーザ装置とも呼ばれている。端末機器は、ワイヤレスローカルエリアネットワーク（ＷＬＡＮ、Ｗｉｒｅｌｅｓｓ  Ｌｏｃａｌ  Ａｒｅａ  Ｎｅｔｗｏｒｋｓ）におけるステーション（ＳＴ、ＳＴＡＴＩＯＮ）であってもよく、セルラー電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）ステーション、パーソナルデジタルプロセッシング（ＰＤＡ、Ｐｅｒｓｏｎａｌ  Ｄｉｇｉｔａｌ  Ａｓｓｉｓｔａｎｔ）機器、ワイヤレス通信機能付きのハンドヘルド機器、コンピューティング機器又はワイヤレスモデムに接続されたこの他のプロセッシング機器、車載機器、ウェアラブル機器及び次世代通信システム、例えば、第５世代通信（５Ｇ、ｆｉｆｔｈ−ｇｅｎｅｒａｔｉｏｎ）ネットワークにおける端末機器または未来の進化型公共陸上モバイルネットワーク（ＰＬＭＮ、Ｐｕｂｌｉｃ  Ｌａｎｄ  Ｍｏｂｉｌｅ  Ｎｅｔｗｏｒｋ）における端末機器などであってもよい。本発明の実施例では、当該端末機器はまたウェアラブル機器であってもよい。ウェアラブル機器は、ウェアラブルスマート機器と呼ばれてもよく、ウェアラブルテクノロジーを適用して日常着をインテリジェントに設計して開発した、例えば、メガネ、手袋、腕時計、衣類及び靴などのウェアラブル機器の総称である。
【００６５】
ネットワーク機器は、モバイル機器と通信するための機器であってもよく、ネットワーク機器は、ＷＬＡＮにおけるアクセスポイント（ＡＰ、Ａｃｃｅｓｓ  Ｐｏｉｎｔ）、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮＢ、ＮｏｄｅＢ）であってもよく、また、ＬＴＥにおける進化型基地局（ｅＮＢ又はｅＮｏｄｅＢ、Ｅｖｏｌｕｔｉｏｎ  Ｎｏｄｅ  Ｂ）、又は中継局又はアクセスポイント、又は車載機器、ウェアラブル機器及びＮＲネットワークにおけるネットワーク機器又は未来の進化型ＰＬＭＮネットワークにおけるネットワーク機器などであってもよい。
【００６６】
本発明の実施例では、ネットワーク機器はセルにサービスを提供し、端末機器は、当該セルで使用される送信リソース（例えば、周波数ドメインリソース、又は、スペクトルリソース）によってネットワーク機器と通信し、当該セルは、ネットワーク機器（例えば、基地局）に対応するセルであってもよく、セルは、マクロ基地局に属してもよく、スモールセル（ｓｍａｌｌ  ｃｅｌｌ）に対応する基地局に属してもよく、ここでのスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含んでもよく、これらのスモールセルは、小さいカバレッジと低い送信パワーの特性を備えており、高速データ送信サービスの提供に適している。
【００６７】
本発明の実施例では、ＬＴＥシステム又はＮＲシステムにおけるキャリアで、同じ周波数で動作する複数のセルが同時にあってもよく、いくつか特殊なシーンでは、上記キャリアとセルの概念は同等と見なされてもよい。例えば、ＣＡシーンでは、ＵＥにセカンダリキャリアを設置する場合、セカンダリキャリアのキャリアインデックスと、当該セカンダリキャリアで動作しているセカンダリセルのセル識別子（Ｃｅｌｌ  ＩＤ、Ｃｅｌｌ  Ｉｎｄｅｎｔｉｔｙ）が同時に携帯され、この場合、キャリアとセルの概念は同等と見なされることができ、例えば、ＵＥが１つのキャリアにアクセスすることと１つのセルにアクセスすることは同等のものである。
【００６８】
本発明の実施例は、アップリンク又はダウンリンクの物理チャネル又は参照信号に適用でき、例えば、物理チャネルは、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理ＨＡＲＱインジケーターチャネル（ＰＨＩＣＨ、Ｐｈｙｓｉｃａｌ  Ｈｙｂｒｉｄ−ＡＲＱ  Ｉｎｄｉｃａｔｏｒ  Ｃｈａｎｎｅｌ）、物理ブロードキャストチャネル（ＰＢＣＨ、Ｐｈｙｓｉｃａｌ  Ｂｒｏａｄｃａｓｔ  Ｃｈａｎｎｅｌ）、物理マルチキャストチャネル（ＰＭＣＨ、Ｐｈｙｓｉｃａｌ  Ｍｕｌｔｉｃａｓｔ  Ｃｈａｎｎｅｌ）、物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）などを含んでもよく、参照信号は、復調参照信号（ＤＭＲＳ、Ｄｅｍｏｄｕｌａｔｉｏｎ  Ｒｅｆｅｒｅｎｃｅ  Ｓｉｇｎａｌ）、サウンディングリファレンスシグナル（ＳＲＳ、Ｓｏｕｎｄｉｎｇ  Ｒｅｆｅｒｅｎｃｅ  Ｓｉｇｎａｌ）、チャネル状態情報参照信号（ＣＳＩ−ＲＳ、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、位相トラッキング基準信号（ＰＴ−ＲＳ  、Ｐｈａｓｅ  Ｔｒａｃｋｉｎｇ  Ｒｅｆｅｒｅｎｃｅ  Ｓｉｇｎａｌ）などを含んでもよい。
【００６９】
ＮＲ技術がライセンスフリーのスペクトル上に適用される場合、デプロイメントは複数の方法があってもよく、例えば、ＣＡ、ＤＣ又はＳＡなど、異なるネットワークデプロイメント方法は端末機器の当該ライセンスフリーのスペクトルでのセルへのアクセスに対する要件が異なる。以下は、これらのシーンを分析する。
【００７０】
シーン１、ＣＡ方法であり、即ち、ライセンスドスペクトルでのＮＲキャリアはメインキャリアであり、ライセンスフリーのスペクトルでのＮＲキャリアはセカンダリキャリアであり、メインキャリアとセカンダリキャリアは理想的ｂａｃｋｈａｕｌによって接続され、かつ、ライセンスフリーのスペクトルでのセカンダリキャリアによってサポートされるサブキャリアの間隔は、予め定義されたサブキャリアの間隔以下であり、例えば、ライセンスフリーのスペクトルでのセカンダリキャリアによってサポートされるサブキャリアの間隔は、１２０ＫＨｚ以下である。
【００７１】
このシーンでは、ネットワーク機器は、メインキャリア（ライセンスドスペクトル）で同期信号、ＭＩＢ、ＳＩＢなどの情報を送信し、端末機器は、メインキャリアで送信される同期信号、ＭＩＢ、ＳＩＢなどの情報を受信することによってネットワークにアクセスされることができ、それから、メインキャリアでの設定情報に基づいてセカンダリキャリアでデータを送信する。相応的に、セカンダリキャリアで、ネットワーク機器は、ＰＳＳとＳＳＳなどの参照信号を送信する必要があり、端末機器が、セカンダリキャリアでのＲＲＭ測定を完了するようにし、これにより、セカンダリセルの管理を完了する。
【００７２】
シーン２、ＣＡ方法であり、即ち、ライセンスドスペクトルでのＮＲキャリアはメインキャリアであり、ライセンスフリーのスペクトルでのＮＲキャリアはセカンダリキャリアであり、メインキャリアとセカンダリキャリアは理想的ｂａｃｋｈａｕｌによって接続され、かつ、ライセンスフリーのスペクトルでのセカンダリキャリアによってサポートされるサブキャリアの間隔は、予め定義されたサブキャリアの間隔以下であり、例えば、ライセンスフリーのスペクトルでのセカンダリキャリアによってサポートされるサブキャリアの間隔は、２４０ＫＨｚ以下である。
【００７３】
シーン３、異なるシステムＤＣ方法であり、即ち、ライセンスドスペクトルでのＬＴＥキャリアはメインキャリアであり、ライセンスフリーのスペクトルでのＮＲキャリアはセカンダリキャリアであり、メインキャリアとセカンダリキャリアは非理想的ｂａｃｋｈａｕｌによって接続される。
【００７４】
シーン４、同じシステムＤＣ方法であり、即ち、ライセンスドスペクトルでのＮＲキャリアはメインキャリアであり、ライセンスフリーのスペクトルでのＮＲキャリアはセカンダリキャリアであり、メインキャリアとセカンダリキャリアは非理想的ｂａｃｋｈａｕｌによって接続される。
【００７５】
シーン２、３、４では、ネットワーク機器は、メインキャリアで同期信号、ＭＩＢ、ＳＩＢなどの情報を送信し、端末機器は、メインキャリアで送信される同期信号、ＭＩＢ、ＳＩＢなどの情報を受信することによってネットワークにアクセスでき、しかしながら、端末機器は、メインキャリアを介して取得された時間的同期情報に基づいてセカンダリキャリアでのサブフレーム情報を正確に判断できず（シーン２では、セカンダリキャリアでのサブキャリアの間隔は大きすぎ、対応するシンボルは短すぎることが原因であり、シーン３とシーン４では、メインキャリアとセカンダリキャリアは基地局を共有していないことが原因である）、したがって、ライセンスフリーのセカンダリキャリアで同期信号とＰＢＣＨを送信する必要があり、端末機器がセカンダリキャリアでの時間的同期を正確に取得できるようにする。
【００７６】
シーン５、ＳＡ方法であり、即ち、ライセンスフリーのスペクトルでのＮＲキャリアはメインキャリアである。このシーンでは、ネットワーク機器は、ライセンスフリーのスペクトルでのメインキャリアで同期信号、ＭＩＢ、ＳＩＢなどの情報を送信する必要があり、端末機器がメインキャリアで送信される同期信号、ＭＩＢ、ＳＩＢなどの情報を受信することによってネットワークにアクセスできるようにする。
【００７７】
したがって、上記５つのシーンでは、ライセンスフリーのスペクトルでのＮＲキャリアで、ＲＲＭ測定用の同期信号のみを送信する必要があるシーン１を除き、シーン２、３、４、５では、いずれも同期信号とＰＢＣＨを送信する必要がある。理解すべきものとして、図２に示すように、同期信号は、ＰＳＳとＳＳＳを含み、同期信号とＰＢＣＨはＳＳＢを構成する。
【００７８】
本発明の実施例に係る技術的解決手段は、ＮＲ−Ｕシステムでは、ＤＲＳに類似する同期信号をどのように送信すれば、当該同期信号はＮＲ−Ｕシステムがサービスするユーザの測定／同期のニーズを満たすようにするという問題を解決することに趣旨がある。以下は本発明の実施例に係る技術的解決手段を説明する。
【００７９】
図３は、本発明の実施例に係る信号伝送方法のフローチャート１であり、本発明の実施例では、図３に示すように、前記信号伝送方法は以下のステップを含む。
【００８０】
ステップ３０１において、端末機器は、第１のキャリアでの同期信号送信モードを決定し、前記同期信号送信モードは、第１の送信モード又は第２の送信モードである。
【００８１】
本発明の実施例では、端末機器は、以下の方法に基づいて第１のキャリアでの同期信号送信モードを決定することができる。
【００８２】
方法１、前記端末機器は、第２のキャリアでネットワーク機器によって送信された第１の指示情報を受信し、前記第１の指示情報は、前記第１のキャリアでの同期信号送信モードが前記第１の送信モードであるか、又は前記第２の送信モードであるかを決定するためのものであり、前記端末機器は、前記第１の指示情報に基づいて前記第１のキャリアでの前記同期信号送信モードを決定する。
【００８３】
ここでは、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。言い換えると、前記第１のキャリアは、ライセンスフリーのスペクトルでのキャリアと称し、前記第２のキャリアは、ライセンスドスペクトルでのキャリアである。理解すべきものとして、第１のキャリアは、ライセンスフリーのスペクトルでの少なくとも１つのキャリアを含み、第２のキャリアは、ライセンスドスペクトルでの少なくとも１つのキャリアを含む。
【００８４】
例を挙げると、ネットワーク機器は、第２のキャリアで１ビットで第１の指示情報を表し、当該ビットは１である場合、同期信号送信モードが第１の送信モードであると代表し、当該ビットは０である場合、同期信号送信モードは第２の送信モードであると代表し、当然ながら、当該ビットが０である場合、同期信号送信モードが第１の送信モードであると代表し、当該ビットが１である場合、同期信号送信モードが第２の送信モードであると代表するとしてもよい。
【００８５】
方法２、前記端末機器は、第２のキャリアで前記ネットワーク機器によって送信された第１の指示情報を受信しない場合、前記端末機器は、前記第１のキャリアでの前記同期信号送信モードが前記第１の送信モードであると決定する。前記端末機器は、第２のキャリアで前記ネットワーク機器によって送信された第１の指示情報を受信した場合、前記端末機器は、前記第１のキャリアでの前記同期信号送信モードが前記第２の送信モードであると決定する。
【００８６】
ここでは、第１の指示情報の具体的な内容を考慮しなくてもよく、端末機器は、第２のキャリアで第１の指示情報を受信した（または、第１の指示情報に対応するパラメータが設定された）限り、前記同期信号送信モードが前記第２の送信モードであると見なされ、端末機器は、第２のキャリアで第１の指示情報を受信しない（または、第１の指示情報に対応するパラメータが設定されていない）場合、前記同期信号送信モードが前記第１の送信モードであると見なされる。
【００８７】
方法３、上記方法１と方法２を合わせ、前記端末機器は、第２のキャリアで前記ネットワーク機器によって送信された第１の指示情報を受信しない場合、前記端末機器は、前記第１のキャリアでの前記同期信号送信モードが前記第１の送信モードであると決定する。前記端末機器は、第２のキャリアで前記ネットワーク機器によって送信された第１の指示情報を受信した場合、前記端末機器は、前記第１の指示情報に基づいて前記第１のキャリアでの前記同期信号送信モードを決定し、前記同期信号送信モードは、第１の送信モードである可能性があり、第２の送信モードである可能性もある。
【００８８】
方法４、前記端末機器は第２のキャリアが設定されず、または、前記端末機器は、前記第１のキャリアを介してネットワークにアクセスする場合、前記端末機器は、前記第１のキャリアでの前記同期信号送信モードが前記第１の送信モードであると決定する。
【００８９】
ステップ３０２において、前記端末機器は、前記同期信号送信モードに基づいて前記第１のキャリアでの情報を受信する。
【００９０】
１）前記同期信号送信モードが前記第１の送信モードである場合
前記端末機器は、前記第１のキャリアでの第１の同期信号ブロックＳＳＢを受信し、前記第１のＳＳＢは、プライマリ同期信号、セカンダリ同期信号及び第１のＰＢＣＨを含む。
【００９１】
選択的に、第１のＰＢＣＨに端末機器の初期アクセス用のＭＩＢ情報が含まれる。
【００９２】
選択的に、第１のＰＢＣＨに、例えば、同期信号の送信パワーなどの、端末機器が第１のキャリアでのデータを送信するように支援するための情報が含まれる。
【００９３】
２）前記同期信号送信モードが前記第２の送信モードである場合
２．１）第２の送信モードの第１の実現方法において、
前記端末機器は、前記第１のキャリアでの第２のＳＳＢを受信し、前記第２のＳＳＢは、プライマリ同期信号、セカンダリ同期信号及び第２のＰＢＣＨを含む。
【００９４】
ここでは、第２のＰＢＣＨによって送信された情報と第１のＰＢＣＨによって送信された情報うち少なくとも１つが違う。例えば、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００９５】
選択的に、同期信号の送信パワーは、端末機器がダウンリンクチャネルのパス損失又はダウンリンクチャネルの品質情報を測定するためのものである。
【００９６】
選択的に、ライセンスフリー（Ｇｒａｎｔ  ｆｒｅｅ）のアップリンク送信のリソース割り当ては、半静的に設定した時間周波数リソースである。
【００９７】
選択的に、ライセンスフリー（Ｇｒａｎｔ  ｆｒｅｅ）のアップリンク送信で使用されるキャリアセンシング方法は、例えば、Ｔｙｐｅ  １又はＴｙｐｅ  ２チャネルアクセスなどのＬＡＡシステムにおけるアップリンクチャネルアクセス過程（Ｕｐｌｉｎｋ  Ｃｈａｎｎｅｌ  Ａｃｃｅｓｓ  ｐｒｏｃｅｄｕｒｅｓ）を含む。
【００９８】
理解すべきものとして、第２のＰＢＣＨは、端末機器の初期アクセス用のＭＩＢ情報を含んでもよく、端末機器の初期アクセス用のＭＩＢ情報を含まなくてもよく、本発明はこれを限定しない。
【００９９】
２．２）第２の送信モードの第２の実現方法において、
前記端末機器は、前記第１のキャリアでのＳＳを受信し、前記ＳＳは、プライマリ同期信号とセカンダリ同期信号を含む。
【０１００】
ここでは、第１のキャリアでＰＢＣＨを送信する必要がなく（例えば、第１のＰＢＣＨ又は第２のＰＢＣＨ）、当該ＰＢＣＨに対応する送信リソース（図２におけるＰＢＣＨが占有する時間周波数リソース）を、例えば、ダウンリンクデータチャネル又はダウンリンク制御チャネルなどの他の情報を送信するために使用する。当然ながら、フィラー信号を送信してもよく、または何の情報をも送信しない。
【０１０１】
選択的に、ネットワーク機器が上記第１のキャリアでのＰＢＣＨに対応する送信リソースを使用する方法は、予め定義されるか、または、通信規格によって規定されるか、または、シグナリングによって端末機器に通知するものである。当該ＰＢＣＨに対応する送信リソースは、ダウンリンクデータチャネル又はダウンリンク制御チャネルを送信するためのものである場合、端末機器は、当該ＰＢＣＨに対応する送信リソースで情報を受信し、当該ＰＢＣＨに対応する送信リソースは、フィラー信号を送信するためのものであり、または、何なる信号をも送信しない場合、端末機器は、当該ＰＢＣＨに対応する送信リソースで情報を受信しない。
【０１０２】
上記解決手段では、選択的に、前記ネットワーク機器が配置されている通信ネットワークはＣＡデプロイメントである場合、前記第１のキャリアでの前記同期信号送信モードが前記第２の送信モードであり、前記ネットワーク機器が配置されている通信ネットワークはＣＡデプロイメントではない場合、前記第１のキャリアでの前記同期信号送信モードが前記第１の送信モードである。
【０１０３】
選択的に、上記５種のデプロイメントシーンを合わせた同期信号送信モードは、以下のように説明されることができる。
【０１０４】
シーン１において、前記端末機器と前記ネットワーク機器が配置されている通信ネットワークはＣＡデプロイメントであり、かつ、前記第１のキャリアによってサポートされるサブキャリアの間隔は、第１の帯域幅より小さいか又は第１の帯域幅に等しい（例えば、１２０ｋＨｚ）場合、前記第１のキャリアでの前記同期信号送信モードが前記第２の送信モードである。
【０１０５】
シーン２において、前記端末機器と前記ネットワーク機器が配置されている通信ネットワークはＣＡデプロイメントであり、かつ、前記第１のキャリアによってサポートされるサブキャリアの間隔は、第２の帯域幅より大きいか又は第２の帯域幅に等しい（例えば、２４０ｋＨｚ）場合、前記第１のキャリアでの前記同期信号送信モードが前記第１の送信モードである。
【０１０６】
シーン３とシーン４において、前記端末機器と前記ネットワーク機器が配置されている通信ネットワークはＤＣデプロイメント（異なるシステムＤＣ方法又は同じシステムＤＣ方法）である場合、前記第１のキャリアでの前記同期信号送信モードが前記第１の送信モードである。
【０１０７】
シーン５において、前記端末機器と前記ネットワーク機器が配置されている通信ネットワークはＳＡデプロイメントである場合、前記第１のキャリアでの前記同期信号送信モードが前記第１の送信モードである。
【０１０８】
図４は、本発明の実施例に係る信号伝送方法のフローチャート２であり、本発明の実施例では、図４に示すように、前記信号伝送方法は以下のステップを含む。
【０１０９】
ステップ４０１において、ネットワーク機器は、第１のキャリアでの同期信号送信モードを決定し、前記同期信号送信モードは、第１の送信モード又は第２の送信モードである。
【０１１０】
本発明の実施例では、選択的に、前記ネットワーク機器が配置されている通信ネットワークはＣＡデプロイメントである場合、前記ネットワーク機器は、前記第１のキャリアでの前記同期信号送信モードが前記第２の送信モードであると決定し、前記ネットワーク機器が配置されている通信ネットワークはＣＡデプロイメントではない場合、前記ネットワーク機器は、前記第１のキャリアでの前記同期信号送信モードが前記第１の送信モードであると決定する。
【０１１１】
選択的に、上記５種のデプロイメントシーンを合わせ、ネットワーク機器によって決定される同期信号送信モードは以下のように説明されることができる。
【０１１２】
シーン１、前記端末機器と前記ネットワーク機器が配置されている通信ネットワークはＣＡデプロイメントであり、かつ、前記第１のキャリアによってサポートされるサブキャリアの間隔は、第１の帯域幅より小さいか又は第１の帯域幅に等しい（例えば、１２０ｋＨｚ）場合、前記第１のキャリアでの前記同期信号送信モードが前記第２の送信モードであると決定する。
【０１１３】
シーン２、前記端末機器と前記ネットワーク機器が配置されている通信ネットワークはＣＡデプロイメントであり、かつ、前記第１のキャリアによってサポートされるサブキャリアの間隔は、第２の帯域幅より大きいか又は第２の帯域幅に等しい（例えば、２４０ｋＨｚ）場合、前記第１のキャリアでの前記同期信号送信モードが前記第１の送信モードであると決定する。
【０１１４】
シーン３とシーン４、前記端末機器と前記ネットワーク機器が配置されている通信ネットワークはＤＣデプロイメント（異なるシステムＤＣ方法又は同じシステムＤＣ方法）である場合、前記第１のキャリアでの前記同期信号送信モードが前記第１の送信モードであると決定する。
【０１１５】
シーン５、前記端末機器と前記ネットワーク機器が配置されている通信ネットワークはＳＡデプロイメントである場合、前記第１のキャリアでの前記同期信号送信モードが前記第１の送信モードであると決定する。
【０１１６】
本発明の実施例では、ネットワーク機器は、端末機器に前記第１のキャリアでの同期信号送信モードを知らせるために、第２のキャリアで前記端末機器に第１の指示情報を送信することができ、前記第１の指示情報は、前記第１のキャリアでの同期信号送信モードが前記第１の送信モードであるか、又は前記第２の送信モードであるかを決定するためのものである。
【０１１７】
ここでは、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。言い換えると、前記第１のキャリアは、ライセンスフリーのスペクトルでのキャリアと称し、前記第２のキャリアは、ライセンスドスペクトルでのキャリアである。
【０１１８】
例を挙げると、ネットワーク機器は、第２のキャリアで１ビットで第１の指示情報を表し、当該ビットは１である場合、同期信号送信モードは第１の送信モードであると代表し、当該ビットは０である場合、同期信号送信モードは第２の送信モードであると代表し、当然ながら、当該ビットは０である場合、同期信号送信モードは第１の送信モードであると代表し、当該ビットは１である場合、同期信号送信モードは第２の送信モードであると代表してもよい。
【０１１９】
当然ながら、ネットワーク機器は、端末機器に第１の指示情報を送信せず、暗黙的方法で端末機器に前記第１のキャリアでの同期信号送信モードを知らせてもよい。例えば、ネットワーク機器が第１の指示情報を送信しないことは、同期信号送信モードが前記第１の送信モードであると代表し、ネットワーク機器が第１の指示情報を送信することは、同期信号送信モードが前記第２の送信モードであると代表し、または、ネットワーク機器は、第１の指示情報を送信することにより、端末機器が当該第１の指示情報に基づいて同期信号送信モードが第１の送信モードであるか又は第２の送信モードであるかを決定するようにする。
【０１２０】
ステップ４０２において、前記ネットワーク機器は、前記同期信号送信モードに従って前記第１のキャリアで前記端末機器に情報を送信する。
【０１２１】
１）前記同期信号送信モードが前記第１の送信モードである場合
前記ネットワーク機器は、前記第１のキャリアで第１のＳＳＢを送信し、前記第１のＳＳＢは、プライマリ同期信号、セカンダリ同期信号及び第１のＰＢＣＨを含む。
【０１２２】
選択的に、第１のＰＢＣＨに端末機器の初期アクセス用のＭＩＢ情報が含まれる。
【０１２３】
選択的に、第１のＰＢＣＨ中に、端末機器が第１のキャリアでデータを送信するように支援するための情報、例えば、同期信号の送信パワーなどの情報が含まれる。
【０１２４】
２）前記同期信号送信モードが前記第２の送信モードである場合
２．１）前記ネットワーク機器は、前記第１のキャリアで第２のＳＳＢを送信し、前記第２のＳＳＢは、プライマリ同期信号、セカンダリ同期信号及び第２のＰＢＣＨを含む。
【０１２５】
ここでは、第２のＰＢＣＨによって送信された情報と第１のＰＢＣＨによって送信された情報うち少なくとも１つが違う。例えば、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【０１２６】
理解すべきものとして、第２のＰＢＣＨは、端末機器の初期アクセス用のＭＩＢ情報を含んでもよく、端末機器の初期アクセス用のＭＩＢ情報を含まなくてもよく、本発明はこれを限定しない。
【０１２７】
２．２）前記ネットワーク機器は、前記第１のキャリアでＳＳを送信し、前記ＳＳは、プライマリ同期信号とセカンダリ同期信号を含む。
【０１２８】
そのうち、第１のＰＢＣＨ又は第２のＰＢＣＨに対応する前記第１のキャリアにおける送信リソースは、ダウンリンクデータチャネル又はダウンリンク制御チャネルを送信するためのものであり、または、第１のＰＢＣＨ又は第２のＰＢＣＨに対応する前記第１のキャリアにおける送信リソースは、フィラー信号を送信するためのものであり、または、第１のＰＢＣＨ又は第２のＰＢＣＨに対応する前記第１のキャリアにおける送信リソースは、情報を送信しない。
【０１２９】
以下は具体的な例を合わせて本発明の実施例に係る技術的解決手段をさらに説明する。
【０１３０】
応用例１
【０１３１】
ライセンスフリーのスペクトルでのＮＲキャリアのいずれでもＳＳＢを送信し、上記シーン１では、ＰＢＣＨで送信された情報は、端末機器でのデータ送信に何の役目も果たさないだけではなく、データチャネル又は制御チャネルの送信に利用されるスペクトルリソースを占有してしまう。この場合、ＰＢＣＨで送信された内容を修正し、例えば、リソースを浪費しないようにするために、当該シーンでは、端末機器がデータを送信するように支援するための情報をＰＢＣＨでいくつか送信する。または、当該ＰＢＣＨ情報を受信してはならないはずの端末機器でシステムの誤解が発生しないようにために、ＰＢＣＨが占有するチャネルリソースでフィラー信号を送信する。
【０１３２】
そのうち、端末機器がデータを送信するように支援するための当該情報は、セル識別子、同期信号で使用されるビームフォーミングの識別子、同期信号の送信パワー、ライセンスフリーの（Ｇｒａｎｔ  ｆｒｅｅ）アップリンク送信のリソース割り当て、ライセンスフリーのアップリンク送信で使用されるキャリアセンシング方法、又はネットワーク機器がキャリアセンシングをする時に使用されるパワー閾値などのうち少なくとも１つであってもよい。
【０１３３】
理解すべきものとして、異なるシーンで送信されたＰＢＣＨの内容は異なり、例えば、シーン１で送信されたのはＰＢＣＨ１（即ち、第２のＰＢＣＨ）であり、シーン２、３、４、５で送信されたのはＰＢＣＨ２（即ち、第１のＰＢＣＨ）であるため、端末機器に対して、現在、受信したＰＢＣＨがＰＢＣＨ１に従って解析するか又はＰＢＣＨ２に従って解析するかを明確する必要があり、そうしてからこそ、ＰＢＣＨを正確に受信できる。ＰＢＣＨ１はシーン１のみで発生し、シーン１では、端末機器はライセンスドスペクトルでのメインキャリアを介してネットワークにアクセスするため、ライセンスドスペクトルでのメインキャリアを介して端末機器にシグナリング（即ち、第１の指示情報）を送信し、ライセンスフリーのスペクトルでのセカンダリキャリアを介して送信されたのは、ＰＢＣＨ１であるかＰＢＣＨ２であるかを端末機器に知らせることができる。端末機器から見ると、端末機器は、ライセンスフリーのスペクトルでのセカンダリキャリアでネットワーク機器によって送信されたものをデフォルトにＰＢＣＨ２とすることができ、端末機器は、ライセンスドスペクトルでのシグナリングを受信してセカンダリキャリアで送信されたのがＰＢＣＨ１であると確認した場合のみ、ＰＢＣＨ１として受信する。
【０１３４】
選択的に、ネットワーク機器は、ライセンスドスペクトルでのメインキャリアを介して端末機器に１ビットのビットマップシグナリングを送信し、当該ビットマップシグナリングを介してライセンスフリーのスペクトルでのセカンダリキャリアを介して送信されたのがＰＢＣＨ１であるか又はＰＢＣＨ２であるかを端末機器に知らせる。選択的に、ライセンスフリーのスペクトルでのセカンダリキャリアを介して送信されたのはＰＢＣＨ１である場合、ネットワーク機器は、ライセンスドスペクトルでのメインキャリアを介してライセンスフリーのスペクトルでのセカンダリキャリアＰＢＣＨ１の関連パラメータを端末機器に設定し、ライセンスフリーのスペクトルでのセカンダリキャリアを介して送信されたのはＰＢＣＨ２である場合、ネットワーク機器は、端末機器にＰＢＣＨ１の関連パラメータを設定しない。
【０１３５】
応用例２
【０１３６】
上記シーン２、３、４、５では、ライセンスフリーのスペクトルでのＮＲキャリアのいずれでもＳＳＢを送信し、シーン１では、ライセンスフリーのスペクトルでのＮＲキャリアでＳＳのみを送信し、ＰＢＣＨを送信しない。シーン１では、ＰＢＣＨ送信の関連情報は何１つもないため、リソースを浪費しないようにするために、ＰＢＣＨ送信用のスペクトルリソースをデータチャネル又は制御チャネルでの送信に使用してもよい。
【０１３７】
理解すべきものとして、異なるシーン下で送信された同期用の信号が異なり、例えば、シーン１で送信されたのはＳＳであり、シーン２、３、４、５で送信されたのはＳＳＢであるため、端末機器に対して、現在、ネットワーク機器によって送信されたのがＳＳであるか又はＳＳＢであるかを明確にする必要があり、これにより、正しいレートマッチングを完了する。ＳＳはシーン１のみで発生し、シーン１では、端末機器は、ライセンスドスペクトルでのメインキャリアを介してネットワークにアクセスするため、ライセンスドスペクトルでのメインキャリアを介して端末機器にシグナリング（即ち、第１の指示情報）を送信し、ライセンスフリーのスペクトルでのセカンダリキャリアを介して送信されたのがＳＳであるか又はＳＳＢであるかを端末機器に知らせることができる。端末機器から見ると、端末機器は、ライセンスフリーのスペクトルでのセカンダリキャリアでネットワーク機器によって送信されたものをデフォルトにＳＳＢとすることができ、端末機器は、ＣＡシーンであり、かつ、ライセンスドスペクトルでのシグナリングを受信してセカンダリキャリアで送信されたのがＳＳであると確認した場合のみ、ＳＳのみを受信する。
【０１３８】
選択的に、ネットワーク機器は、ライセンスドスペクトルでのメインキャリアを介して端末機器に１ビットのビットマップシグナリングを送信し、当該ビットマップシグナリングによってライセンスフリーのスペクトルでのセカンダリキャリアを介して送信されたのがＳＳであるか又はＳＳＢであるかを端末機器に知らせる。選択的に、ライセンスフリーのスペクトルでのセカンダリキャリアを介して送信されたのがＳＳである場合、ネットワーク機器は、ライセンスドスペクトルでのメインキャリアによって、ライセンスフリーのスペクトルでのセカンダリキャリアがＳＳのパラメータのみを送信するように端末機器に設定し、ライセンスフリーのスペクトルでのセカンダリキャリアを介して送信されたのがＳＳＢである場合、ネットワーク機器は端末機器に当該パラメータを設定しない。
【０１３９】
図５は、本発明の実施例に係る信号伝送装置の構造構成概略図１であり、本実施例に係る信号伝送装置は、端末機器に適用され、前記装置は、
第１のキャリアでの同期信号送信モードを決定するための決定ユニット５０１であって、前記同期信号送信モードは、第１の送信モード又は第２の送信モードである決定ユニット５０１と、
前記同期信号送信モードに基づいて前記第１のキャリアでの情報を受信するための第１の受信ユニット５０２と、を含む。
【０１４０】
１つの実施形態では、前記装置はさらに、
第２のキャリアでネットワーク機器によって送信された第１の指示情報を受信するための第２の受信ユニット５０３であって、前記第１の指示情報は、前記第１のキャリアでの同期信号送信モードが前記第１の送信モードであるか、又は前記第２の送信モードであるかを決定するためのものである第２の受信ユニット５０３をさらに含み、
前記決定ユニット５０１は、前記第１の指示情報に基づいて前記第１のキャリアでの前記同期信号送信モードを決定するためのものである。
【０１４１】
１つの実施形態では、第２の受信ユニット５０３は、第２のキャリアで前記ネットワーク機器によって送信された第１の指示情報を受信しない場合、前記決定ユニット５０１は、前記第１のキャリアでの前記同期信号送信モードが前記第１の送信モードであると決定するためのものである。
【０１４２】
１つの実施形態では、前記同期信号送信モードが前記第１の送信モードであり、相応的に、
前記第１の受信ユニット５０２は、前記第１のキャリアでの第１のＳＳＢを受信するためのものであり、前記第１のＳＳＢは、プライマリ同期信号、セカンダリ同期信号及び第１のＰＢＣＨを含む。
【０１４３】
１つの実施形態では、前記同期信号送信モードが前記第２の送信モードであり、相応的に、
前記第１の受信ユニット５０２は、前記第１のキャリアでの第２のＳＳＢを受信するためのものであり、前記第２のＳＳＢは、プライマリ同期信号、セカンダリ同期信号及び第２のＰＢＣＨを含む。
【０１４４】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【０１４５】
１つの実施形態では、前記同期信号送信モードが前記第２の送信モードであり、相応的に、
前記第１の受信ユニット５０２は、前記第１のキャリアでのＳＳを受信するためのものであり、前記ＳＳは、プライマリ同期信号とセカンダリ同期信号を含む。
【０１４６】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【０１４７】
１つの実施形態では、前記ネットワーク機器が配置されている通信ネットワークはキャリアアグリゲーションＣＡデプロイメントである場合、前記第１のキャリアでの前記同期信号送信モードが前記第２の送信モードであり、
前記ネットワーク機器が配置されている通信ネットワークはＣＡデプロイメントではない場合、前記第１のキャリアでの前記同期信号送信モードが前記第１の送信モードである。
【０１４８】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【０１４９】
当業者は、図５に示すような信号伝送装置における各ユニットが実現する機能は前記信号伝送方法の関連説明を参照して理解することができると理解すべきである。図５に示すような信号伝送装置における各ユニットの機能はプロセッサで実行されるプログラムを介して実現されてもよく、具体的な論理回路を介して実現されてもよい。
【０１５０】
図６は、本発明の実施例に係る信号伝送装置の構造構成概略図２であり、本実施例に係る信号伝送装置は、ネットワーク機器に適用され、前記装置は、
第１のキャリアでの同期信号送信モードを決定するための決定ユニット６０１であって、前記同期信号送信モードは、第１の送信モード又は第２の送信モードである決定ユニット６０１と、
前記同期信号送信モードに従って前記第１のキャリアで前記端末機器に情報を送信するための第１の送信ユニット６０２と、を含む。
【０１５１】
１つの実施形態では、前記装置はさらに、
第２のキャリアで前記端末機器に第１の指示情報を送信するための第２の送信ユニット６０３であって、前記第１の指示情報は、前記第１のキャリアでの同期信号送信モードが前記第１の送信モードであるか、又は前記第２の送信モードであるかを決定するためのものである第２の送信ユニット６０３を含む。
【０１５２】
１つの実施形態では、前記同期信号送信モードが前記第１の送信モードであり、相応的に、
前記第１の送信ユニット６０２は、前記第１のキャリアで第１のＳＳＢを送信するためのものであり、前記第１のＳＳＢは、プライマリ同期信号、セカンダリ同期信号及び第１のＰＢＣＨを含む。
【０１５３】
１つの実施形態では、前記同期信号送信モードが前記第２の送信モードであり、相応的に、
前記第１の送信ユニット６０２は、前記第１のキャリアで第２のＳＳＢを送信するためのものであり、前記第２のＳＳＢは、プライマリ同期信号、セカンダリ同期信号及び第２のＰＢＣＨを含む。
【０１５４】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【０１５５】
１つの実施形態では、前記同期信号送信モードが前記第２の送信モードであり、相応的に、
前記第１の送信ユニット６０２は、前記第１のキャリアでＳＳを送信するためのものであり、前記ＳＳは、プライマリ同期信号とセカンダリ同期信号を含む。
【０１５６】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【０１５７】
１つの実施形態では、前記ネットワーク機器が配置されている通信ネットワークはＣＡデプロイメントである場合、前記決定ユニットは、前記第１のキャリアでの前記同期信号送信モードが前記第２の送信モードであると決定し、
前記ネットワーク機器が配置されている通信ネットワークはＣＡデプロイメントではない場合、前記決定ユニットは、前記第１のキャリアでの前記同期信号送信モードが前記第１の送信モードであると決定する。
【０１５８】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【０１５９】
当業者は、図６に示すような信号伝送装置における各ユニットが実現する機能は上記信号伝送方法の関連説明を参照して理解することができると理解すべきである。図６に示すような信号伝送装置における各ユニットの機能はプロセッサで実行されるプログラムを介して実現されてもよく、具体的な論理回路を介して実現されてもよい。
【０１６０】
本発明の実施例に係る上記信号伝送装置は、ソフトウェア機能モジュールの形で実現され、独立した製品として販売又は使用される場合、１つのコンピュータ可読記憶媒体に記憶されてもよい。このような理解に基づき、本発明の実施例に係る技術的解決手段は、本質的に、又は従来の技術に寄与する部分がソフトウェア製品の形で具体化されることができ、当該コンピュータソフトウェア製品は、１つの記憶媒体に記憶され、１つのコンピュータ機器（パーソナルコンピュータ、サーバ、又はネットワーク機器などであってもよい）が、本発明の各実施例に係る前記方法のすべて又は一部を実行するようにするための命令をいくつか含む。前述の記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク又はコンパクトディスクなどプログラムコードが記憶できる様々な媒体を含む。このようにして、本発明の実施例は、ハードウェアとソフトウェアの特定の組み合わせに限定されない。
【０１６１】
相応的に、本発明の実施例はまた、コンピュータ記憶媒体を提供し、前記コンピュータ記憶媒体には、コンピュータ実行可能な命令が記憶されており、前記コンピュータ実行可能な命令がプロセッサによって実行されるとき、本発明の実施例に係る上記信号伝送方法を実現する。
【０１６２】
図７は、本発明の実施例に係るコンピュータ機器の構造構成概略図であり、当該コンピュータ機器は、端末機器であってもよく、ネットワーク機器であってもよい。図７に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図７に示すような構造が例示的なものにすぎず、上記電子装置の構造を限定するためのものではないと理解できる。例えば、コンピュータ機器１００はさらに、図７に示すコンポーネントを上回る又は下回る数のコンポーネントを含んでもよく、または、図７に示す設定と異なる設定を持ってもよい。
【０１６３】
メモリ１００４は、本発明の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記の方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続されることができる。上記ネットワークの実例は、インターネット、イントラネット、ローカルエリアネットワーク、モバイル通信ネットワーク、及びそれらの組み合わせを含むが、それらに限定されない。
【０１６４】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができるネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方法でインターネットと通信するための無線周波数（ＲＦ、Ｒａｄｉｏ  Ｆｒｅｑｕｅｎｃｙ）モジュールであってもよい。
【０１６５】
本発明の実施例に記載の技術的解決手段は、競合することなく任意に組み合わせることができる。
【０１６６】
本発明に係るいくつかの実施例では、開示された方法及びスマート機器は、他の方式で実現することができると理解すべきである。以上に説明された機器の実施例は例示的なものにすぎず、例えば、前記ユニットの分割は、論理機能での分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、説明又は検討した各コンポーネントの結合又は直接的な結合又は通信接続は、いくつかのインタフェース、機器又はユニットを用いる間接的接続又は通信接続としてもよく、電気的形態、機械的形態又はその他の形態としてもよい。
【０１６７】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１６８】
また、本発明の各実施例では、各機能ユニットが１つの第２の処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１６９】
以上の内容は、本発明の具体的実施形態にすぎず、本発明の保護範囲はこれらに限定されず、当業者であれば、本発明で開示される技術的範囲内に、容易に想像しうる全ての変更又は置換は、いずれも本発明の保護範囲内に含まれるべきである。
【図１】
2021515428.tif 000003
【図２】
2021515428.tif 000004
【図３】
2021515428.tif 000005
【図４】
2021515428.tif 000006
【図５】
2021515428.tif 000007
【図６】
2021515428.tif 000008
【図７】
2021515428.tif 000009
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
信号伝送方法であって、前記方法は、
端末機器は、第１のキャリアでの同期信号送信モードを決定するステップであって、前記同期信号送信モードは、第１の送信モード又は第２の送信モードであるステップと、
前記端末機器は、前記同期信号送信モードに基づいて前記第１のキャリアでの情報を受信するステップと、を含む信号伝送方法。
【請求項２】
前記端末機器は、第１のキャリアでの同期信号送信モードを決定する前記ステップは、
前記端末機器は、第２のキャリアでネットワーク機器によって送信された第１の指示情報を受信するステップであって、前記第１の指示情報は、前記第１のキャリアでの同期信号送信モードが前記第１の送信モードであるか、又は前記第２の送信モードであるかを決定するためのものであるステップと、
前記端末機器は、前記第１の指示情報に基づいて前記第１のキャリアでの前記同期信号送信モードを決定するステップと、を含む請求項１に記載の方法。
【請求項３】
前記端末機器は、第１のキャリアでの同期信号送信モードを決定する前記ステップは、
前記端末機器は、第２のキャリアで前記ネットワーク機器によって送信された第１の指示情報を受信しない場合、前記端末機器は、前記第１のキャリアでの前記同期信号送信モードが前記第１の送信モードであると決定するステップを含む請求項１又は請求項２に記載の方法。
【請求項４】
前記端末機器が配置されている通信ネットワークはキャリアアグリゲーション（ＣＡ）デプロイメントである場合、前記第１のキャリアでの前記同期信号送信モードが前記第２の送信モードであり、
前記端末機器が配置されている通信ネットワークはＣＡデプロイメントではない場合、前記第１のキャリアでの前記同期信号送信モードが前記第１の送信モードである請求項１〜請求項３のいずれか１項に記載の方法。
【請求項５】
前記第１のキャリアでの周波数ドメインリソースは、前記ネットワーク機器を含む少なくとも２つの通信機器によって共有される周波数ドメインリソースであり、第２のキャリアでの周波数ドメインリソースは、前記ネットワーク機器専用の周波数ドメインリソースである請求項２〜請求項４のいずれか１項に記載の方法。
【請求項６】
信号伝送装置であって、端末機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに基づいて前記第１のキャリアでの情報を受信するための第１の受信ユニットと、を含む信号伝送装置。
【請求項７】
前記装置は、
第２のキャリアでネットワーク機器によって送信された第１の指示情報を受信するための第２の受信ユニットであって、前記第１の指示情報は、前記第１のキャリアでの同期信号送信モードが前記第１の送信モードであるか、又は前記第２の送信モードであるかを決定するためのものである第２の受信ユニットをさらに含み、
前記決定ユニットは、前記第１の指示情報に基づいて前記第１のキャリアでの前記同期信号送信モードを決定するためのものである請求項６に記載の装置。
【請求項８】
第２の受信ユニットは、第２のキャリアでネットワーク機器によって送信された第１の指示情報を受信しない場合、前記決定ユニットは、前記第１のキャリアでの前記同期信号送信モードが前記第１の送信モードであると決定するためのものである請求項６又は請求項７に記載の装置。
【請求項９】
前記同期信号送信モードが前記第１の送信モードである場合、
前記第１の受信ユニットは、前記第１のキャリアでの第１の同期信号ブロック（ｓｙｎｃｈｒｏｎｉｚａｔｉｏｎ  ｓｉｇｎａｌ  ｂｌｏｃｋ、ＳＳＢ）を受信するためのものであり、前記第１のＳＳＢは、プライマリ同期信号、セカンダリ同期信号及び第１の物理ブロードキャストチャネル（ｐｈｙｓｉｃａｌ  ｂｒｏａｄｃａｓｔ  ｃｈａｎｎｅｌ、ＰＢＣＨ）を含む請求項６〜請求項８のいずれか１項に記載の装置。
【請求項１０】
前記同期信号送信モードが前記第２の送信モードである場合、
前記第１の受信ユニットは、前記第１のキャリアでの第２のＳＳＢを受信するためのものであり、前記第２のＳＳＢは、プライマリ同期信号、セカンダリ同期信号及び第２のＰＢＣＨを含む請求項６〜請求項９のいずれか１項に記載の装置。
【請求項１１】
前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをするときに使用されるパワー閾値のうち少なくとも１種の情報を含む請求項１０に記載の装置。
【請求項１２】
前記同期信号送信モードが前記第２の送信モードである場合、
前記第１の受信ユニットは、前記第１のキャリアでの同期信号（ｓｙｎｃｈｒｏｎｉｚａｔｉｏｎ  ｓｉｇｎａｌ、ＳＳ）を受信するためのものであり、前記ＳＳは、プライマリ同期信号とセカンダリ同期信号を含む請求項６〜請求項９のいずれか１項に記載の装置。
【請求項１３】
第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない請求項１２に記載の装置。
【請求項１４】
信号伝送装置であって、ネットワーク機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに従って前記第１のキャリアで端末機器に情報を送信するための第１の送信ユニットと、を含む信号伝送装置。
【請求項１５】
前記装置は、
第２のキャリアで前記端末機器に第１の指示情報を送信するための第２の送信ユニットであって、前記第１の指示情報は、前記第１のキャリアでの同期信号送信モードが前記第１の送信モードであるか、又は前記第２の送信モードであるかを決定するためのものである第２の送信ユニットをさらに含む請求項１４に記載の装置。
【手続補正２】
【補正対象書類名】明細書
【補正対象項目名】全文
【補正方法】変更
【補正の内容】
【発明の詳細な説明】
【技術分野】
【０００１】
本発明は、無線通信技術の分野に関し、特に信号伝送方法及び装置、コンピュータ記憶媒体に関する。
【背景技術】
【０００２】
無線通信技術の発展に伴い、ロングタームエボリューション（ＬＴＥ、Ｌｏｎｇ  Ｔｅｒｍ  Ｅｖｏｌｕｔｉｏｎ）システムに基づくライセンスドアシストアクセスシステム（ＬＡＡ−ＬＴＥ、Ｌｉｃｅｎｓｅｄ−Ａｓｓｉｓｔｅｄ  Ａｃｃｅｓｓ−ＬＴＥ）は、キャリアアグリゲーション構造を基とし、ライセンスドスペクトルでのキャリアをメインキャリアとし、ライセンスフリーのスペクトルでのキャリアをセカンダリキャリアとして、端末機器にサービスを提供する。ＬＡＡ−ＬＴＥシステムでは、メインキャリアは、端末機器の初期アクセス及びいくつかの主要なサービスの送信パフォーマンスを確保するために使用されることができる一方、ライセンスフリーのスペクトルでのセカンダリキャリアは、端末機器の主要ではないビッグデータサービスを送信するために使用されることができ、これにより、ＬＴＥセルの負荷のバランスをとるという目的を達成する。
【０００３】
ＬＡＡ−ＬＴＥシステムにおけるダウンリンク信号伝送の過程では、ネットワーク機器は、ライセンスフリーのキャリアで発見参照信号（ＤＲＳ、Ｄｉｓｃｏｖｅｒｙ  Ｒｅｆｅｒｅｎｃｅ  Ｓｉｇｎａｌ）を送信する必要があり、これにより、ローカルセルの端末機器が、ライセンスフリーのキャリアでのセルとの同期を完了することができ、隣接セルの端末機器が、ローカルセル信号に対する無線リソース管理（ＲＲＭ、Ｒａｄｉｏ  Ｒｅｓｏｕｒｃｅ  Ｍａｎａｇｅｍｅｎｔ）測定を完了できるようにすることができる。そのうち、ＬＴＥシステムにおけるＤＲＳは、プライマリ同期信号（ＰＳＳ、Ｐｒｉｍａｒｙ  Ｓｙｎｃｈｒｏｎｉｚａｔｉｏｎ  Ｓｉｇｎａｌ）、セカンダリ同期信号（ＳＳＳ、Ｓｅｃｏｎｄａｒｙ  Ｓｙｎｃｈｒｏｎｉｚａｔｉｏｎ  Ｓｉｇｎａｌ）、セル固有参照信号（ＣＲＳ、Ｃｅｌｌ−ｓｐｅｃｉｆｉｃ  Ｒｅｆｅｒｅｎｃｅ  Ｓｉｇｎａｌ）を含み、一実施形態において、ＤＲＳは、チャネル状態情報参照信号（ＣＳＩ−ＲＳ、Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ）を含んでもよい。
【０００４】
図１に示すように、ＤＲＳがＰＳＳ、ＳＳＳ及びＣＲＳを含むことを例として、ＬＡＡ−ＬＴＥシステムにおけるＤＲＳの送信を説明する。ライセンスフリーのスペクトルでは、ネットワーク機器は、リッスンビフォアトーク（ＬＢＴ、Ｌｉｓｔｅｎ  Ｂｅｆｏｒｅ  Ｔａｌｋ）原則の検出を通じてチャネル使用権を取得した後に、ＤＲＳを、ネットワーク機器が端末機器のために設定した発見信号測定タイミング設定（ＤＭＴＣ、Ｄｉｓｃｏｖｅｒｙ  Ｓｉｇｎａｌｓ  Ｍｅａｓｕｒｅｍｅｎｔ  Ｔｉｍｉｎｇ  Ｃｏｎｆｉｇｕｒａｔｉｏｎ）ウィンドウで送信することができ、ＤＲＳは、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）／物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）／拡張物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）などのチャネルとともに送信される場合、番号０のサブフレーム（図１における＃０）又は番号５のサブフレーム（図１における＃５）のみで送信されることができる。ＤＲＳが単独的に送信され、即ち、ＤＲＳがＰＤＳＣＨ／ＰＤＣＣＨ／ＥＰＤＣＣＨなどのチャネルとともに送信されない場合、ＬＢＴが成功するＤＭＴＣウィンドウ内の１番目のサブフレームでＤＲＳ信号を送信する。ＤＲＳは、１つのサブフレームで送信される場合、当該サブフレームの最初の１２つのシンボルを占有し、図１に示すように、ＰＳＳとＳＳＳは、シンボル５とシンボル６を占有し、ＣＲＳは、シンボル０、シンボル４、シンボル７及びシンボル１１を占有する。
【０００５】
ニューラジオ（ＮＲ、Ｎｅｗ  Ｒａｄｉｏ）技術をライセンスフリーのスペクトルに適用する場合、例えば、キャリアアグリゲーション（ＣＡ、Ｃａｒｒｉｅｒ  Ａｇｇｒｅｇａｔｉｏｎ）デプロイメント、デュアル接続（ＤＣ、Ｄｕａｌ  Ｃｏｎｎｅｃｔｉｖｉｔｙ）デプロイメント又は独立（ＳＡ、Ｓｔａｎｄａｌｏｎｅ）デプロイメントなどの複数のネットワークデプロイメント方法が考えられ、ＬＴＥ−ＬＡＡシステムがＣＡデプロイメントのみをサポートするため、従来のＬＡＡ−ＬＴＥシステムでのＤＲＳ送信方法を上記ＮＲシステムに基づくネットワークデプロイメント方法に適用する場合、ニーズを満たすことができない。
【発明の概要】
【発明が解決しようとする課題】
【０００６】
本発明の実施例は、上記技術的課題を解決するために、信号伝送方法及び装置、コンピュータ記憶媒体を提供する。
【課題を解決するための手段】
【０００７】
本発明の実施例に係る信号伝送方法は、
端末機器は、第１のキャリアでの同期信号送信モードを決定するステップであって、前記同期信号送信モードが、第１の送信モード又は第２の送信モードであるステップと、
前記端末機器は、前記同期信号送信モードに基づいて前記第１のキャリアでの情報を受信するステップと、を含む。
【０００８】
１つの実施形態では、端末機器は第１のキャリアでの同期信号送信モードを決定する前記ステップは、
前記端末機器は、第２のキャリアでネットワーク機器によって送信された第１の指示情報を受信するステップであって、前記第１の指示情報は、前記第１のキャリアでの同期信号送信モードが前記第１の送信モードであるか、又は前記第２の送信モードであるかを決定するためのものであるステップと、
前記端末機器は、前記第１の指示情報に基づいて前記第１のキャリアでの前記同期信号送信モードを決定するステップと、を含む。
【０００９】
１つの実施形態では、端末機器は、第１のキャリアでの同期信号送信モードを決定する前記ステップは、
前記端末機器は、第２のキャリアでネットワーク機器によって送信された第１の指示情報を受信しない場合、前記端末機器は、前記第１のキャリアでの前記同期信号送信モードが前記第１の送信モードであると決定するステップを含む。
【００１０】
１つの実施形態では、端末機器は、第１のキャリアでの同期信号送信モードを決定する前記ステップは、
前記端末機器は、前記第１のキャリアを介してネットワークにアクセスする場合、前記端末機器が、前記第１のキャリアでの前記同期信号送信モードが前記第１の送信モードであると決定するステップをさらに含む。
【００１１】
１つの実施形態では、前記同期信号送信モードが前記第１の送信モードである場合、前記端末機器は、前記同期信号送信モードに基づいて前記第１のキャリアでの情報を受信する前記ステップは、
前記端末機器は、前記第１のキャリアでの第１の同期信号ブロック（ＳＳＢ、Ｓｙｎｃｈｒｏｎｉｚａｔｉｏｎ  Ｓｉｇｎａｌ  Ｂｌｏｃｋ）を受信するステップであって、前記第１のＳＳＢは、プライマリ同期信号、セカンダリ同期信号及び第１の物理ブロードキャストチャネル（ＰＢＣＨ、Ｐｈｙｓｉｃａｌ  Ｂｒｏａｄｃａｓｔ  Ｃｈａｎｎｅｌ）を含むステップを含む。
【００１２】
１つの実施形態では、前記第１のＰＢＣＨに端末機器の初期アクセス用のマスター情報ブロック（Ｍａｓｔｅｒ  Ｉｎｆｏｒｍａｔｉｏｎ  Ｂｌｏｃｋ、ＭＩＢ）情報が含まれる。
【００１３】
１つの実施形態では、前記同期信号送信モードが前記第２の送信モードである場合、前記端末機器は、前記同期信号送信モードに基づいて前記第１のキャリアでの情報を受信する前記ステップは、
前記端末機器は、前記第１のキャリアでの第２のＳＳＢを受信するステップであって、前記第２のＳＳＢは、プライマリ同期信号、セカンダリ同期信号及び第２のＰＢＣＨを含むステップを含む。
【００１４】
１つの実施形態では、前記第２のＰＢＣＨによって送信された情報と前記第１のＰＢＣＨによって送信された情報のうち少なくとも１つが違う。
【００１５】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００１６】
１つの実施形態では、前記同期信号送信モードが前記第２の送信モードである場合、前記端末機器は、前記同期信号送信モードに基づいて前記第１のキャリアでの情報を受信する前記ステップは、
前記端末機器は、前記第１のキャリアでの同期信号（Ｓｙｎｃｈｒｏｎｉｚａｔｉｏｎ  Ｓｉｇｎａｌ、ＳＳ）を受信するステップであって、前記ＳＳは、プライマリ同期信号とセカンダリ同期信号を含むステップを含む。
【００１７】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００１８】
１つの実施形態では、前記端末機器が配置されている通信ネットワークはＣＡデプロイメントである場合、前記第１のキャリアでの前記同期信号送信モードが前記第２の送信モードであり、
前記端末機器が配置されている通信ネットワークはＣＡデプロイメントではない場合、前記第１のキャリアでの前記同期信号送信モードが前記第１の送信モードである。
【００１９】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００２０】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００２１】
本発明の実施例に係る信号伝送方法は、
ネットワーク機器は、第１のキャリアでの同期信号送信モードを決定するステップであって、前記同期信号送信モードは、第１の送信モード又は第２の送信モードであるステップと、
前記ネットワーク機器は、前記同期信号送信モードに従って前記第１のキャリアで端末機器に情報を送信するステップと、を含む。
【００２２】
１つの実施形態では、前記方法は、
前記ネットワーク機器は、第２のキャリアで前記端末機器に第１の指示情報を送信するステップであって、前記第１の指示情報は、前記第１のキャリアでの同期信号送信モードが前記第１の送信モードであるか、又は前記第２の送信モードであるかを決定するためのものであるステップをさらに含む。
【００２３】
１つの実施形態では、前記同期信号送信モードが前記第１の送信モードである場合、前記ネットワーク機器は、前記同期信号送信モードに従って前記第１のキャリアで前記端末機器に情報を送信する前記ステップは、
前記ネットワーク機器は、前記第１のキャリアで第１のＳＳＢを送信するステップであって、前記第１のＳＳＢは、プライマリ同期信号、セカンダリ同期信号及び第１のＰＢＣＨを含むステップを含む。
【００２４】
１つの実施形態では、前記同期信号送信モードが前記第２の送信モードである場合、前記ネットワーク機器は、前記同期信号送信モードに従って前記第１のキャリアで前記端末機器に情報を送信する前記ステップは、
前記ネットワーク機器は、前記第１のキャリアで第２のＳＳＢを送信するステップであって、前記第２のＳＳＢは、プライマリ同期信号、セカンダリ同期信号及び第２のＰＢＣＨを含むステップを含む。
【００２５】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００２６】
１つの実施形態では、前記同期信号送信モードが前記第２の送信モードである場合、前記ネットワーク機器は、前記同期信号送信モードに従って前記第１のキャリアで前記端末機器に情報を送信する前記ステップは、
前記ネットワーク機器は、前記第１のキャリアでＳＳを送信するステップであって、前記ＳＳは、プライマリ同期信号とセカンダリ同期信号を含むステップを含む。
【００２７】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００２８】
１つの実施形態では、前記ネットワーク機器は、第１のキャリアでの同期信号送信モードを決定する前記ステップは、
前記ネットワーク機器が配置されている通信ネットワークはＣＡデプロイメントである場合、前記ネットワーク機器は、前記第１のキャリアでの前記同期信号送信モードが前記第２の送信モードであると決定するステップと、
前記ネットワーク機器が配置されている通信ネットワークはＣＡデプロイメントではない場合、前記ネットワーク機器は、前記第１のキャリアでの前記同期信号送信モードが前記第１の送信モードであると決定するステップと、を含む。
【００２９】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００３０】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００３１】
本発明の実施例に係る信号伝送装置は、端末機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに基づいて前記第１のキャリアでの情報を受信するための第１の受信ユニットと、を含む。
【００３２】
１つの実施形態では、前記装置は、
第２のキャリアでネットワーク機器によって送信された第１の指示情報を受信するための第２の受信ユニットであって、前記第１の指示情報は、前記第１のキャリアでの同期信号送信モードが前記第１の送信モードであるか、又は前記第２の送信モードであるかを決定するためのものである第２の受信ユニットをさらに含み、
前記決定ユニットは、前記第１の指示情報に基づいて前記第１のキャリアでの前記同期信号送信モードを決定するためのものである。
【００３３】
１つの実施形態では、第２の受信ユニットは、第２のキャリアでネットワーク機器によって送信された第１の指示情報を受信しない場合、前記決定ユニットは、前記第１のキャリアでの前記同期信号送信モードが前記第１の送信モードであると決定するためのものである。
【００３４】
１つの実施形態では、前記同期信号送信モードが前記第１の送信モードである場合、
前記第１の受信ユニットは、前記第１のキャリアでの第１のＳＳＢを受信するためのものであり、前記第１のＳＳＢは、プライマリ同期信号、セカンダリ同期信号及び第１のＰＢＣＨを含む。
【００３５】
１つの実施形態では、前記同期信号送信モードが前記第２の送信モードである場合、
前記第１の受信ユニットは、前記第１のキャリアでの第２のＳＳＢを受信するためのものであり、前記第２のＳＳＢは、プライマリ同期信号、セカンダリ同期信号及び第２のＰＢＣＨを含む。
【００３６】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００３７】
１つの実施形態では、前記同期信号送信モードが前記第２の送信モードである場合、
前記第１の受信ユニットは、前記第１のキャリアでのＳＳを受信するためのものであり、前記ＳＳは、プライマリ同期信号とセカンダリ同期信号を含む。
【００３８】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００３９】
１つの実施形態では、前記端末機器が配置されている通信ネットワークはＣＡデプロイメントである場合、前記第１のキャリアでの前記同期信号送信モードが前記第２の送信モードであり、
前記端末機器が配置されている通信ネットワークはＣＡデプロイメントではない場合、前記第１のキャリアでの前記同期信号送信モードが前記第１の送信モードである。
【００４０】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００４１】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００４２】
本発明の実施例に係る信号伝送装置は、ネットワーク機器に適用され、前記装置は、
第１のキャリアでの同期信号送信モードを決定するための決定ユニットであって、前記同期信号送信モードは、第１の送信モード又は第２の送信モードである決定ユニットと、
前記同期信号送信モードに従って前記第１のキャリアで端末機器に情報を送信するための第１の送信ユニットと、を含む。
【００４３】
１つの実施形態では、前記装置は、
第２のキャリアで前記端末機器に第１の指示情報を送信するための第２の送信ユニットであって、前記第１の指示情報は、前記第１のキャリアでの同期信号送信モードが前記第１の送信モードであるか、又は前記第２の送信モードであるかを決定するためのものである第２の送信ユニットをさらに含む。
【００４４】
１つの実施形態では、前記同期信号送信モードが前記第１の送信モードである場合、
前記第１の送信ユニットは、前記第１のキャリアで第１のＳＳＢを送信するためのものであり、前記第１のＳＳＢは、プライマリ同期信号、セカンダリ同期信号及び第１のＰＢＣＨを含む。
【００４５】
１つの実施形態では、前記同期信号送信モードが前記第２の送信モードである場合、
前記第１の送信ユニットは、前記第１のキャリアで第２のＳＳＢを送信するためのものであり、前記第２のＳＳＢは、プライマリ同期信号、セカンダリ同期信号及び第２のＰＢＣＨを含む。
【００４６】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００４７】
１つの実施形態では、前記同期信号送信モードが前記第２の送信モードである場合、
前記第１の送信ユニットは、前記第１のキャリアでＳＳを送信するためのものであり、前記ＳＳは、プライマリ同期信号とセカンダリ同期信号を含む。
【００４８】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【００４９】
１つの実施形態では、前記ネットワーク機器が配置されている通信ネットワークはＣＡデプロイメントである場合、前記決定ユニットは、前記第１のキャリアでの前記同期信号送信モードが前記第２の送信モードであると決定し、
前記ネットワーク機器が配置されている通信ネットワークはＣＡデプロイメントではない場合、前記決定ユニットは、前記第１のキャリアでの前記同期信号送信モードが前記第１の送信モードであると決定する。
【００５０】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【００５１】
１つの実施形態では、前記第１のキャリアでの周波数ドメインリソースは、ライセンスフリーの周波数ドメインリソースであり、前記第２のキャリアでの周波数ドメインリソースは、ライセンスド周波数ドメインリソースである。
【００５２】
本発明の実施例に係るコンピュータ記憶媒体は、コンピュータ実行可能な命令が記憶されており、前記コンピュータ実行可能な命令がプロセッサによって実行されるとき、上記の信号伝送方法を実現する。
【発明の効果】
【００５３】
本発明の実施例の技術的解決手段では、ＣＡデプロイメントのライセンスフリーのスペクトルでのキャリアについて、ネットワーク機器は、端末機器に初期アクセス用のＰＢＣＨを送信する必要がないため、この場合、ネットワーク機器は、端末機器のデータ送信を支援するために、ＰＢＣＨで送信された内容を修正することができ、または、ネットワーク機器は、リソース使用率を高めるために、ＰＢＣＨを送信するための周波数ドメインリソースをデータチャネル又は制御チャネルの送信に使用することができる。また、ネットワーク機器は、ライセンスドスペクトルでのキャリアを介して端末機器に指示情報を送信することができ、これにより、当該ライセンスフリーのスペクトルでのキャリアサービスの端末機器が同期信号を正確に受信できる。
【図面の簡単な説明】
【００５４】
本明細書で説明する図面は、本発明に対する更なる理解を提供するためのものであり、本願の一部を構成し、本発明の例示的実施例及びその説明は、本発明を解釈するためのものであり、本発明に対する過度な制限を構成するものではない。
【図１】ＤＭＴＣウィンドウでＤＲＳを送信する時間ドメインの構造概略図である。
【図２】ＳＳＢの時間周波数リソースの概略図である。
【図３】本発明の実施例に係る信号伝送方法のフローチャート１である。
【図４】本発明の実施例に係る信号伝送方法のフローチャート２である。
【図５】本発明の実施例に係る信号伝送装置の構造構成概略図１である。
【図６】本発明の実施例に係る信号伝送装置の構造構成概略図２である。
【図７】本発明の実施例に係るコンピュータ機器の構造構成概略図である。
【発明を実施するための形態】
【００５５】
本発明の実施例に係る技術的解決手段の理解を容易にするために、以下は、本発明の実施例に係る関連技術を説明する。
【００５６】
１）ライセンスフリーのスペクトル
ライセンスフリーのスペクトルは、無線機器の通信に使用できる国と地域によって割り当てられたスペクトルである。当該スペクトルは、一般的に共有スペクトルと見なされ、即ち、異なる通信システムでの通信機器は、政府に専用のスペクトルライセンスを申請する必要がなく、当該スペクトルで国又は地域によって設定された規制要件さえ満たされれば、当該スペクトルを使用できる。ライセンスフリーのスペクトルを使用して無線通信をする様々な通信システムが当該スペクトルで友好的に共存できるようにするために、いくつかの国又は地域では、ライセンスフリーのスペクトルを使用するには、満たす必要のある規制要件を規定している。例えば、ヨーロッパ地域では、通信機器はＬＢＴの原則に遵い、即ち、通信機器は、ライセンスフリーのスペクトルのチャネルで信号を送信する前に、先にチャネルセンシングを行う必要があり、チャネルセンシングの結果はチャネルがアイドルである場合のみ、当該通信機器は信号を送信することができ、ライセンスフリーのスペクトルのチャネルでの通信機器のチャネルセンシング結果はチャネルがビジーである場合、当該通信機器は信号を送信することができない。かつ、公平性を確保するために、１回の送信では、通信機器がライセンスフリーのスペクトルのチャネルを使用して信号送信をする時間数は最大チャネル占有時間（ＭＣＯＴ、Ｍａｘｉｍｕｍ  Ｃｈａｎｎｅｌ  Ｏｃｃｕｐａｔｉｏｎ  Ｔｉｍｅ）を超えてはいけない。また、例えば、ライセンスフリーのスペクトルのチャネルで送信される信号にサブバンド干渉を引き起こさないために、また、ライセンスフリーのスペクトルのチャネルを検出する時の通信機器の検出精度を向上させるために、ライセンスフリーのスペクトルのチャネルで送信される信号は、当該チャネル帯域幅の少なくとも一定の割合を占有する必要があり、例えば、５ＧＨｚ帯域は、信号が占有するチャネル帯域幅の８０％であり、６０ＧＨｚ帯域は、信号が占有するチャネル帯域幅の７０％である。また、例えば、ライセンスフリーのスペクトルのチャネルで送信される信号のパワーが大きすぎて、レーダー信号などの当該チャネルでの他の重要な信号の送信に影響を与えないようにするために、規制は、信号送信にライセンスフリーのスペクトルのチャネルを使用する場合の通信機器の最大パワースペクトル密度を規定している。
【００５７】
２）ネットワークアーキテクチャ
本発明の実施例は、例えば、グローバルモバイルコミュニケーション（ＧＳＭ（登録商標）、Ｇｌｏｂａｌ  Ｓｙｓｔｅｍ  ｏｆ  Ｍｏｂｉｌｅ  ｃｏｍｍｕｎｉｃａｔｉｏｎ）システム、コードディビシオンマルチプルアクセス（ＣＤＭＡ、Ｃｏｄｅ  Ｄｉｖｉｓｉｏｎ  Ｍｕｌｔｉｐｌｅ  Ａｃｃｅｓｓ）システム、広帯域コード分割多重アクセス（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、汎用モバイル通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＬＴＥ（登録商標）システム及びＬＴＥシステムのエボリューションシステム、例えば、先進的ロングタームエボリューション（ＬＴＥ−Ａ、Ａｄｖａｎｃｅｄ  ＬＴＥ）システム、ＮＲシステム及びＮＲシステムのエボリューションシステム、例えば、ライセンスフリーのスペクトルでのＮＲ（ＮＲ−Ｕ、ＮＲ−ｂａｓｅｄ  ａｃｃｅｓｓ  ｔｏ  Ｕｎｌｉｃｅｎｓｅｄ  ｓｐｅｃｔｒｕｍ）システム、又は次世代通信システムなど様々な通信システムに適用できる。
【００５８】
本発明の実施例はさらに、デバイスツーデバイス（Ｄ２Ｄ、Ｄｅｖｉｃｅ  ｔｏ  Ｄｅｖｉｃｅ）通信、マシンツーマシン（Ｍ２Ｍ、Ｍａｃｈｉｎｅ  ｔｏ  Ｍａｃｈｉｎｅ）通信、マシンタイプ通信（ＭＴＣ、Ｍａｃｈｉｎｅ  Ｔｙｐｅ  Ｃｏｍｍｕｎｉｃａｔｉｏｎ）、及び車両対車両（Ｖ２Ｖ、Ｖｅｈｉｃｌｅ  ｔｏ  Ｖｅｈｉｃｌｅ）通信に適用できる。
【００５９】
本発明の実施例における通信システムはライセンスドスペクトルに適用でき、そのうち、ライセンスドスペクトルは、ネットワーク機器専用のスペクトルである。本発明の実施例における通信システムはさらに、ライセンスフリーのスペクトルに適用でき、そのうち、ライセンスフリーのスペクトルは、例えば、２．４ＧＨｚ、５ＧＨｚ、３７ＧＨｚ又は６０ＧＨｚのスペクトルなど少なくとも２つの通信機器によって共有されるスペクトルである。
【００６０】
本発明の実施例における通信システムは、ＣＡデプロイメントシーンに適用されてもよいし、ＤＣデプロイメントシーンにも、ＳＡデプロイメントシーンにも適用されてもよい。
【００６１】
本発明の実施例における通信システムは、ライセンスフリーのスペクトルに適用され、かつ、デプロイメントシーンはＣＡである場合、当該ＣＡデプロイメントシーンは、メインキャリアがライセンスドスペクトル上に、セカンダリキャリアがライセンスフリーのスペクトル上にあり、メインキャリアとセカンダリキャリアが理想的バックホール（ｂａｃｋｈａｕｌ）によって接続されるものであってもよい。
【００６２】
本発明の実施例における通信システムは、ライセンスフリーのスペクトルに適用され、かつ、デプロイメントシーンはＤＣである場合、当該ＤＣデプロイメントシーンは、メインキャリアがライセンスドスペクトル上に、セカンダリキャリアがライセンスフリーのスペクトル上にあり、メインキャリアとセカンダリキャリアが非理想的ｂａｃｋｈａｕｌによって接続されるものであってもよく、そのうち、メインキャリアでのシステムとセカンダリキャリアでのシステムは異なるシステムに属してもよく、例えば、メインキャリアでのシステムはＬＴＥシステムであり、セカンダリキャリアでのシステムはＮＲシステムであり、または、メインキャリアでのシステムとセカンダリキャリアでのシステムはまた、同様のシステムに属してもよく、例えば、メインキャリアとセカンダリキャリアでのシステムは、いずれもＬＴＥシステムであるか又はいずれもＮＲシステムである。
【００６３】
本発明の実施例における通信システムは、ライセンスフリーのスペクトルに適用され、かつ、デプロイメントシーンはＳＡである場合、端末機器は、ライセンスフリーのスペクトルでのシステムによってネットワークにアクセスできる。
【００６４】
本発明の実施例は、ネットワーク機器と端末機器を合わせて各実施例を説明し、そのうち、
端末機器は、ユーザ機器（ＵＥ、Ｕｓｅｒ  Ｅｑｕｉｐｍｅｎｔ）、アクセス端末、ユーザユニット、ユーザステーション、モバイルテーション、モバイル局、遠方ステーション、リモート端末、モバイル機器、ユーザ端末、端末、無線通信機器、ユーザエージェント又はユーザ装置とも呼ばれている。端末機器は、ワイヤレスローカルエリアネットワーク（ＷＬＡＮ、Ｗｉｒｅｌｅｓｓ  Ｌｏｃａｌ  Ａｒｅａ  Ｎｅｔｗｏｒｋｓ）におけるステーション（ＳＴ、ＳＴＡＴＩＯＮ）であってもよく、セルラー電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）ステーション、パーソナルデジタルアシスタント（ＰＤＡ、Ｐｅｒｓｏｎａｌ  Ｄｉｇｉｔａｌ  Ａｓｓｉｓｔａｎｔ）機器、ワイヤレス通信機能付きのハンドヘルド機器、コンピューティング機器又はワイヤレスモデムに接続されたこの他のプロセッシング機器、車載機器、ウェアラブル機器及び次世代通信システム、例えば、第５世代通信（５Ｇ、ｆｉｆｔｈ−ｇｅｎｅｒａｔｉｏｎ）ネットワークにおける端末機器または未来の進化型公共陸上モバイルネットワーク（ＰＬＭＮ、Ｐｕｂｌｉｃ  Ｌａｎｄ  Ｍｏｂｉｌｅ  Ｎｅｔｗｏｒｋ）における端末機器などであってもよい。本発明の実施例では、当該端末機器はまたウェアラブル機器であってもよい。ウェアラブル機器は、ウェアラブルスマート機器と呼ばれてもよく、ウェアラブルテクノロジーを適用して日常着をインテリジェントに設計して開発した、例えば、メガネ、手袋、腕時計、衣類及び靴などのウェアラブル機器の総称である。
【００６５】
ネットワーク機器は、モバイル機器と通信するための機器であってもよく、ネットワーク機器は、ＷＬＡＮにおけるアクセスポイント（ＡＰ、Ａｃｃｅｓｓ  Ｐｏｉｎｔ）、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮＢ、ＮｏｄｅＢ）であってもよく、また、ＬＴＥにおける進化型基地局（ｅＮＢ又はｅＮｏｄｅＢ、Ｅｖｏｌｕｔｉｏｎ  Ｎｏｄｅ  Ｂ）、又は中継局又はアクセスポイント、又は車載機器、ウェアラブル機器及びＮＲネットワークにおけるネットワーク機器又は未来の進化型ＰＬＭＮネットワークにおけるネットワーク機器などであってもよい。
【００６６】
本発明の実施例では、ネットワーク機器はセルにサービスを提供し、端末機器は、当該セルで使用される送信リソース（例えば、周波数ドメインリソース、又は、スペクトルリソース）によってネットワーク機器と通信し、当該セルは、ネットワーク機器（例えば、基地局）に対応するセルであってもよく、セルは、マクロ基地局に属してもよく、スモールセル（ｓｍａｌｌ  ｃｅｌｌ）に対応する基地局に属してもよく、ここでのスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含んでもよく、これらのスモールセルは、小さいカバレッジと低い送信パワーの特性を備えており、高速データ送信サービスの提供に適している。
【００６７】
本発明の実施例では、ＬＴＥシステム又はＮＲシステムにおけるキャリアで、同じ周波数で動作する複数のセルが同時にあってもよく、いくつか特殊なシーンでは、上記キャリアとセルの概念は同等と見なされてもよい。例えば、ＣＡシーンでは、ＵＥにセカンダリキャリアを設置する場合、セカンダリキャリアのキャリアインデックスと、当該セカンダリキャリアで動作しているセカンダリセルのセル識別子（Ｃｅｌｌ  ＩＤ、Ｃｅｌｌ  Ｉｎｄｅｎｔｉｔｙ）が同時に携帯され、この場合、キャリアとセルの概念は同等と見なされることができ、例えば、ＵＥが１つのキャリアにアクセスすることと１つのセルにアクセスすることは同等のものである。
【００６８】
本発明の実施例は、アップリンク又はダウンリンクの物理チャネル又は参照信号に適用でき、例えば、物理チャネルは、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理ＨＡＲＱインジケーターチャネル（ＰＨＩＣＨ、Ｐｈｙｓｉｃａｌ  Ｈｙｂｒｉｄ−ＡＲＱ  Ｉｎｄｉｃａｔｏｒ  Ｃｈａｎｎｅｌ）、物理ブロードキャストチャネル（ＰＢＣＨ、Ｐｈｙｓｉｃａｌ  Ｂｒｏａｄｃａｓｔ  Ｃｈａｎｎｅｌ）、物理マルチキャストチャネル（ＰＭＣＨ、Ｐｈｙｓｉｃａｌ  Ｍｕｌｔｉｃａｓｔ  Ｃｈａｎｎｅｌ）、物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）などを含んでもよく、参照信号は、復調参照信号（ＤＭＲＳ、Ｄｅｍｏｄｕｌａｔｉｏｎ  Ｒｅｆｅｒｅｎｃｅ  Ｓｉｇｎａｌ）、サウンディングリファレンスシグナル（ＳＲＳ、Ｓｏｕｎｄｉｎｇ  Ｒｅｆｅｒｅｎｃｅ  Ｓｉｇｎａｌ）、チャネル状態情報参照信号（ＣＳＩ−ＲＳ、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、位相トラッキング基準信号（ＰＴ−ＲＳ  、Ｐｈａｓｅ  Ｔｒａｃｋｉｎｇ  Ｒｅｆｅｒｅｎｃｅ  Ｓｉｇｎａｌ）などを含んでもよい。
【００６９】
ＮＲ技術がライセンスフリーのスペクトル上に適用される場合、デプロイメントは複数の方法があってもよく、例えば、ＣＡ、ＤＣ又はＳＡなど、異なるネットワークデプロイメント方法は端末機器の当該ライセンスフリーのスペクトルでのセルへのアクセスに対する要件が異なる。以下は、これらのシーンを分析する。
【００７０】
シーン１、ＣＡ方法であり、即ち、ライセンスドスペクトルでのＮＲキャリアはメインキャリアであり、ライセンスフリーのスペクトルでのＮＲキャリアはセカンダリキャリアであり、メインキャリアとセカンダリキャリアは理想的ｂａｃｋｈａｕｌによって接続され、かつ、ライセンスフリーのスペクトルでのセカンダリキャリアによってサポートされるサブキャリアの間隔は、予め定義されたサブキャリアの間隔以下であり、例えば、ライセンスフリーのスペクトルでのセカンダリキャリアによってサポートされるサブキャリアの間隔は、１２０ＫＨｚ以下である。
【００７１】
このシーンでは、ネットワーク機器は、メインキャリア（ライセンスドスペクトル）で同期信号、ＭＩＢ、二次情報ブロック（Ｓｅｃｏｎｄａｒｙ  Ｉｎｆｏｒｍａｔｉｏｎ  Ｂｌｏｃｋ、ＳＩＢ）などの情報を送信し、端末機器は、メインキャリアで送信される同期信号、ＭＩＢ、ＳＩＢなどの情報を受信することによってネットワークにアクセスされることができ、それから、メインキャリアでの設定情報に基づいてセカンダリキャリアでデータを送信する。相応的に、セカンダリキャリアで、ネットワーク機器は、ＰＳＳとＳＳＳなどの参照信号を送信する必要があり、端末機器が、セカンダリキャリアでのＲＲＭ測定を完了するようにし、これにより、セカンダリセルの管理を完了する。
【００７２】
シーン２、ＣＡ方法であり、即ち、ライセンスドスペクトルでのＮＲキャリアはメインキャリアであり、ライセンスフリーのスペクトルでのＮＲキャリアはセカンダリキャリアであり、メインキャリアとセカンダリキャリアは理想的ｂａｃｋｈａｕｌによって接続され、かつ、ライセンスフリーのスペクトルでのセカンダリキャリアによってサポートされるサブキャリアの間隔は、予め定義されたサブキャリアの間隔以下であり、例えば、ライセンスフリーのスペクトルでのセカンダリキャリアによってサポートされるサブキャリアの間隔は、２４０ＫＨｚ以下である。
【００７３】
シーン３、異なるシステムＤＣ方法であり、即ち、ライセンスドスペクトルでのＬＴＥキャリアはメインキャリアであり、ライセンスフリーのスペクトルでのＮＲキャリアはセカンダリキャリアであり、メインキャリアとセカンダリキャリアは非理想的ｂａｃｋｈａｕｌによって接続される。
【００７４】
シーン４、同じシステムＤＣ方法であり、即ち、ライセンスドスペクトルでのＮＲキャリアはメインキャリアであり、ライセンスフリーのスペクトルでのＮＲキャリアはセカンダリキャリアであり、メインキャリアとセカンダリキャリアは非理想的ｂａｃｋｈａｕｌによって接続される。
【００７５】
シーン２、３、４では、ネットワーク機器は、メインキャリアで同期信号、ＭＩＢ、ＳＩＢなどの情報を送信し、端末機器は、メインキャリアで送信される同期信号、ＭＩＢ、ＳＩＢなどの情報を受信することによってネットワークにアクセスでき、しかしながら、端末機器は、メインキャリアを介して取得された時間的同期情報に基づいてセカンダリキャリアでのサブフレーム情報を正確に判断できず（シーン２では、セカンダリキャリアでのサブキャリアの間隔は大きすぎ、対応するシンボルは短すぎることが原因であり、シーン３とシーン４では、メインキャリアとセカンダリキャリアは基地局を共有していないことが原因である）、したがって、ライセンスフリーのスペクトルでセカンダリキャリアで同期信号とＰＢＣＨを送信する必要があり、端末機器がセカンダリキャリアでの時間的同期を正確に取得できるようにする。
【００７６】
シーン５、ＳＡ方法であり、即ち、ライセンスフリーのスペクトルでのＮＲキャリアはメインキャリアである。このシーンでは、ネットワーク機器は、ライセンスフリーのスペクトルでのメインキャリアで同期信号、ＭＩＢ、ＳＩＢなどの情報を送信する必要があり、端末機器がメインキャリアで送信される同期信号、ＭＩＢ、ＳＩＢなどの情報を受信することによってネットワークにアクセスできるようにする。
【００７７】
したがって、上記５つのシーンでは、ライセンスフリーのスペクトルでのＮＲキャリアで、ＲＲＭ測定用の同期信号のみを送信する必要があるシーン１を除き、シーン２、３、４、５では、いずれも同期信号とＰＢＣＨを送信する必要がある。理解すべきものとして、図２に示すように、同期信号は、ＰＳＳとＳＳＳを含み、同期信号とＰＢＣＨはＳＳＢを構成する。
【００７８】
本発明の実施例に係る技術的解決手段は、ＮＲ−Ｕシステムでは、ＤＲＳに類似する同期信号をどのように送信すれば、当該同期信号はＮＲ−Ｕシステムがサービスするユーザの測定／同期のニーズを満たすようにするという問題を解決することに趣旨がある。以下は本発明の実施例に係る技術的解決手段を説明する。
【００７９】
図３は、本発明の実施例に係る信号伝送方法のフローチャート１であり、本発明の実施例では、図３に示すように、前記信号伝送方法は以下のステップを含む。
【００８０】
ステップ３０１において、端末機器は、第１のキャリアでの同期信号送信モードを決定し、前記同期信号送信モードは、第１の送信モード又は第２の送信モードである。
【００８１】
本発明の実施例では、端末機器は、以下の方法に基づいて第１のキャリアでの同期信号送信モードを決定することができる。
【００８２】
方法１、前記端末機器は、第２のキャリアでネットワーク機器によって送信された第１の指示情報を受信し、前記第１の指示情報は、前記第１のキャリアでの同期信号送信モードが前記第１の送信モードであるか、又は前記第２の送信モードであるかを決定するためのものであり、前記端末機器は、前記第１の指示情報に基づいて前記第１のキャリアでの前記同期信号送信モードを決定する。
【００８３】
ここでは、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。言い換えると、前記第１のキャリアは、ライセンスフリーのスペクトルでのキャリアと称し、前記第２のキャリアは、ライセンスドスペクトルでのキャリアである。理解すべきものとして、第１のキャリアは、ライセンスフリーのスペクトルでの少なくとも１つのキャリアを含み、第２のキャリアは、ライセンスドスペクトルでの少なくとも１つのキャリアを含む。
【００８４】
例を挙げると、ネットワーク機器は、第２のキャリアで１ビットで第１の指示情報を表し、当該ビットは１である場合、同期信号送信モードが第１の送信モードであると代表し、当該ビットは０である場合、同期信号送信モードは第２の送信モードであると代表し、当然ながら、当該ビットが０である場合、同期信号送信モードが第１の送信モードであると代表し、当該ビットが１である場合、同期信号送信モードが第２の送信モードであると代表するとしてもよい。
【００８５】
方法２、前記端末機器は、第２のキャリアで前記ネットワーク機器によって送信された第１の指示情報を受信しない場合、前記端末機器は、前記第１のキャリアでの前記同期信号送信モードが前記第１の送信モードであると決定する。前記端末機器は、第２のキャリアで前記ネットワーク機器によって送信された第１の指示情報を受信した場合、前記端末機器は、前記第１のキャリアでの前記同期信号送信モードが前記第２の送信モードであると決定する。
【００８６】
ここでは、第１の指示情報の具体的な内容を考慮しなくてもよく、端末機器は、第２のキャリアで第１の指示情報を受信した（または、第１の指示情報に対応するパラメータが設定された）限り、前記同期信号送信モードが前記第２の送信モードであると見なされ、端末機器は、第２のキャリアで第１の指示情報を受信しない（または、第１の指示情報に対応するパラメータが設定されていない）場合、前記同期信号送信モードが前記第１の送信モードであると見なされる。
【００８７】
方法３、上記方法１と方法２を合わせ、前記端末機器は、第２のキャリアで前記ネットワーク機器によって送信された第１の指示情報を受信しない場合、前記端末機器は、前記第１のキャリアでの前記同期信号送信モードが前記第１の送信モードであると決定する。前記端末機器は、第２のキャリアで前記ネットワーク機器によって送信された第１の指示情報を受信した場合、前記端末機器は、前記第１の指示情報に基づいて前記第１のキャリアでの前記同期信号送信モードを決定し、前記同期信号送信モードは、第１の送信モードである可能性があり、第２の送信モードである可能性もある。
【００８８】
方法４、前記端末機器は第２のキャリアが設定されず、または、前記端末機器は、前記第１のキャリアを介してネットワークにアクセスする場合、前記端末機器は、前記第１のキャリアでの前記同期信号送信モードが前記第１の送信モードであると決定する。
【００８９】
ステップ３０２において、前記端末機器は、前記同期信号送信モードに基づいて前記第１のキャリアでの情報を受信する。
【００９０】
１）前記同期信号送信モードが前記第１の送信モードである場合
前記端末機器は、前記第１のキャリアでのＳＳＢを受信し、前記第１のＳＳＢは、プライマリ同期信号、セカンダリ同期信号及び第１のＰＢＣＨを含む。
【００９１】
一実施形態において、第１のＰＢＣＨに端末機器の初期アクセス用のＭＩＢ情報が含まれる。
【００９２】
一実施形態において、第１のＰＢＣＨに、例えば、同期信号の送信パワーなどの、端末機器が第１のキャリアでのデータを送信するように支援するための情報が含まれる。
【００９３】
２）前記同期信号送信モードが前記第２の送信モードである場合
２．１）第２の送信モードの第１の実現方法において、
前記端末機器は、前記第１のキャリアでの第２のＳＳＢを受信し、前記第２のＳＳＢは、プライマリ同期信号、セカンダリ同期信号及び第２のＰＢＣＨを含む。
【００９４】
ここでは、第２のＰＢＣＨによって送信された情報と第１のＰＢＣＨによって送信された情報うち少なくとも１つが違う。例えば、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【００９５】
一実施形態において、同期信号の送信パワーは、端末機器がダウンリンクチャネルのパス損失又はダウンリンクチャネルの品質情報を測定するためのものである。
【００９６】
一実施形態において、ライセンスフリー（Ｇｒａｎｔ  ｆｒｅｅ）のアップリンク送信のリソース割り当ては、半静的に設定した時間周波数リソースである。
【００９７】
一実施形態において、ライセンスフリー（Ｇｒａｎｔ  ｆｒｅｅ）のアップリンク送信で使用されるキャリアセンシング方法は、例えば、Ｔｙｐｅ  １又はＴｙｐｅ  ２チャネルアクセスなどのＬＡＡシステムにおけるアップリンクチャネルアクセス過程（Ｕｐｌｉｎｋ  Ｃｈａｎｎｅｌ  Ａｃｃｅｓｓ  ｐｒｏｃｅｄｕｒｅｓ）を含む。
【００９８】
理解すべきものとして、第２のＰＢＣＨは、端末機器の初期アクセス用のＭＩＢ情報を含んでもよく、端末機器の初期アクセス用のＭＩＢ情報を含まなくてもよく、本発明はこれを限定しない。
【００９９】
２．２）第２の送信モードの第２の実現方法において、
前記端末機器は、前記第１のキャリアでのＳＳを受信し、前記ＳＳは、プライマリ同期信号とセカンダリ同期信号を含む。
【０１００】
ここでは、第１のキャリアでＰＢＣＨを送信する必要がなく（例えば、第１のＰＢＣＨ又は第２のＰＢＣＨ）、当該ＰＢＣＨに対応する送信リソース（図２におけるＰＢＣＨが占有する時間周波数リソース）を、例えば、ダウンリンクデータチャネル又はダウンリンク制御チャネルなどの他の情報を送信するために使用する。当然ながら、フィラー信号を送信してもよく、または何の情報をも送信しない。
【０１０１】
一実施形態において、ネットワーク機器が上記第１のキャリアでのＰＢＣＨに対応する送信リソースを使用する方法は、予め定義されるか、または、通信規格によって規定されるか、または、シグナリングによって端末機器に通知するものである。当該ＰＢＣＨに対応する送信リソースは、ダウンリンクデータチャネル又はダウンリンク制御チャネルを送信するためのものである場合、端末機器は、当該ＰＢＣＨに対応する送信リソースで情報を受信し、当該ＰＢＣＨに対応する送信リソースは、フィラー信号を送信するためのものであり、または、何の情報をも送信しない場合、端末機器は、当該ＰＢＣＨに対応する送信リソースで情報を受信しない。
【０１０２】
上記解決手段では、一実施形態において、前記端末機器が配置されている通信ネットワークはＣＡデプロイメントである場合、前記第１のキャリアでの前記同期信号送信モードが前記第２の送信モードであり、前記端末機器が配置されている通信ネットワークはＣＡデプロイメントではない場合、前記第１のキャリアでの前記同期信号送信モードが前記第１の送信モードである。
【０１０３】
一実施形態において、上記５種のデプロイメントシーンを合わせた同期信号送信モードは、以下のように説明されることができる。
【０１０４】
シーン１において、前記端末機器と前記ネットワーク機器が配置されている通信ネットワークはＣＡデプロイメントであり、かつ、前記第１のキャリアによってサポートされるサブキャリアの間隔は、第１の帯域幅より小さいか又は第１の帯域幅に等しい（例えば、１２０ｋＨｚ）場合、前記第１のキャリアでの前記同期信号送信モードが前記第２の送信モードである。
【０１０５】
シーン２において、前記端末機器と前記ネットワーク機器が配置されている通信ネットワークはＣＡデプロイメントであり、かつ、前記第１のキャリアによってサポートされるサブキャリアの間隔は、第２の帯域幅より大きいか又は第２の帯域幅に等しい（例えば、２４０ｋＨｚ）場合、前記第１のキャリアでの前記同期信号送信モードが前記第１の送信モードである。
【０１０６】
シーン３とシーン４において、前記端末機器と前記ネットワーク機器が配置されている通信ネットワークはＤＣデプロイメント（異なるシステムＤＣ方法又は同じシステムＤＣ方法）である場合、前記第１のキャリアでの前記同期信号送信モードが前記第１の送信モードである。
【０１０７】
シーン５において、前記端末機器と前記ネットワーク機器が配置されている通信ネットワークはＳＡデプロイメントである場合、前記第１のキャリアでの前記同期信号送信モードが前記第１の送信モードである。
【０１０８】
図４は、本発明の実施例に係る信号伝送方法のフローチャート２であり、本発明の実施例では、図４に示すように、前記信号伝送方法は以下のステップを含む。
【０１０９】
ステップ４０１において、ネットワーク機器は、第１のキャリアでの同期信号送信モードを決定し、前記同期信号送信モードは、第１の送信モード又は第２の送信モードである。
【０１１０】
本発明の実施例では、前記ネットワーク機器が配置されている通信ネットワークはＣＡデプロイメントである場合、前記ネットワーク機器は、前記第１のキャリアでの前記同期信号送信モードが前記第２の送信モードであると決定し、前記ネットワーク機器が配置されている通信ネットワークはＣＡデプロイメントではない場合、前記ネットワーク機器は、前記第１のキャリアでの前記同期信号送信モードが前記第１の送信モードであると決定する。
【０１１１】
一実施形態において、上記５種のデプロイメントシーンを合わせ、ネットワーク機器によって決定される同期信号送信モードは以下のように説明されることができる。
【０１１２】
シーン１、前記端末機器と前記ネットワーク機器が配置されている通信ネットワークはＣＡデプロイメントであり、かつ、前記第１のキャリアによってサポートされるサブキャリアの間隔は、第１の帯域幅より小さいか又は第１の帯域幅に等しい（例えば、１２０ｋＨｚ）場合、前記第１のキャリアでの前記同期信号送信モードが前記第２の送信モードであると決定する。
【０１１３】
シーン２、前記端末機器と前記ネットワーク機器が配置されている通信ネットワークはＣＡデプロイメントであり、かつ、前記第１のキャリアによってサポートされるサブキャリアの間隔は、第２の帯域幅より大きいか又は第２の帯域幅に等しい（例えば、２４０ｋＨｚ）場合、前記第１のキャリアでの前記同期信号送信モードが前記第１の送信モードであると決定する。
【０１１４】
シーン３とシーン４、前記端末機器と前記ネットワーク機器が配置されている通信ネットワークはＤＣデプロイメント（異なるシステムＤＣ方法又は同じシステムＤＣ方法）である場合、前記第１のキャリアでの前記同期信号送信モードが前記第１の送信モードであると決定する。
【０１１５】
シーン５、前記端末機器と前記ネットワーク機器が配置されている通信ネットワークはＳＡデプロイメントである場合、前記第１のキャリアでの前記同期信号送信モードが前記第１の送信モードであると決定する。
【０１１６】
本発明の実施例では、ネットワーク機器は、端末機器に前記第１のキャリアでの同期信号送信モードを知らせるために、第２のキャリアで前記端末機器に第１の指示情報を送信することができ、前記第１の指示情報は、前記第１のキャリアでの同期信号送信モードが前記第１の送信モードであるか、又は前記第２の送信モードであるかを決定するためのものである。
【０１１７】
ここでは、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。言い換えると、前記第１のキャリアは、ライセンスフリーのスペクトルでのキャリアと称し、前記第２のキャリアは、ライセンスドスペクトルでのキャリアである。
【０１１８】
例を挙げると、ネットワーク機器は、第２のキャリアで１ビットで第１の指示情報を表し、当該ビットは１である場合、同期信号送信モードは第１の送信モードであると代表し、当該ビットは０である場合、同期信号送信モードは第２の送信モードであると代表し、当然ながら、当該ビットは０である場合、同期信号送信モードは第１の送信モードであると代表し、当該ビットは１である場合、同期信号送信モードは第２の送信モードであると代表してもよい。
【０１１９】
当然ながら、ネットワーク機器は、端末機器に第１の指示情報を送信せず、暗黙的方法で端末機器に前記第１のキャリアでの同期信号送信モードを知らせてもよい。例えば、ネットワーク機器が第１の指示情報を送信しないことは、同期信号送信モードが前記第１の送信モードであると代表し、ネットワーク機器が第１の指示情報を送信することは、同期信号送信モードが前記第２の送信モードであると代表し、または、ネットワーク機器は、第１の指示情報を送信することにより、端末機器が当該第１の指示情報に基づいて同期信号送信モードが第１の送信モードであるか又は第２の送信モードであるかを決定するようにする。
【０１２０】
ステップ４０２において、前記ネットワーク機器は、前記同期信号送信モードに従って前記第１のキャリアで前記端末機器に情報を送信する。
【０１２１】
１）前記同期信号送信モードが前記第１の送信モードである場合
前記ネットワーク機器は、前記第１のキャリアで第１のＳＳＢを送信し、前記第１のＳＳＢは、プライマリ同期信号、セカンダリ同期信号及び第１のＰＢＣＨを含む。
【０１２２】
一実施形態において、第１のＰＢＣＨに端末機器の初期アクセス用のＭＩＢ情報が含まれる。
【０１２３】
一実施形態において、第１のＰＢＣＨ中に、端末機器が第１のキャリアでデータを送信するように支援するための情報、例えば、同期信号の送信パワーなどの情報が含まれる。
【０１２４】
２）前記同期信号送信モードが前記第２の送信モードである場合
２．１）前記ネットワーク機器は、前記第１のキャリアで第２のＳＳＢを送信し、前記第２のＳＳＢは、プライマリ同期信号、セカンダリ同期信号及び第２のＰＢＣＨを含む。
【０１２５】
ここでは、第２のＰＢＣＨによって送信された情報と第１のＰＢＣＨによって送信された情報うち少なくとも１つが違う。例えば、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【０１２６】
理解すべきものとして、第２のＰＢＣＨは、端末機器の初期アクセス用のＭＩＢ情報を含んでもよく、端末機器の初期アクセス用のＭＩＢ情報を含まなくてもよく、本発明はこれを限定しない。
【０１２７】
２．２）前記ネットワーク機器は、前記第１のキャリアでＳＳを送信し、前記ＳＳは、プライマリ同期信号とセカンダリ同期信号を含む。
【０１２８】
そのうち、第１のＰＢＣＨ又は第２のＰＢＣＨに対応する前記第１のキャリアにおける送信リソースは、ダウンリンクデータチャネル又はダウンリンク制御チャネルを送信するためのものであり、または、第１のＰＢＣＨ又は第２のＰＢＣＨに対応する前記第１のキャリアにおける送信リソースは、フィラー信号を送信するためのものであり、または、第１のＰＢＣＨ又は第２のＰＢＣＨに対応する前記第１のキャリアにおける送信リソースは、情報を送信しない。
【０１２９】
以下は具体的な例を合わせて本発明の実施例に係る技術的解決手段をさらに説明する。
【０１３０】
応用例１
【０１３１】
ライセンスフリーのスペクトルでのＮＲキャリアのいずれでもＳＳＢを送信し、上記シーン１では、ＰＢＣＨで送信された情報は、端末機器でのデータ送信に何の役目も果たさないだけではなく、データチャネル又は制御チャネルの送信に利用されるスペクトルリソースを占有してしまう。この場合、ＰＢＣＨで送信された内容を修正し、例えば、リソースを浪費しないようにするために、当該シーンでは、端末機器がデータを送信するように支援するための情報をＰＢＣＨでいくつか送信する。または、当該ＰＢＣＨ情報を受信してはならないはずの端末機器でシステムの誤解が発生しないようにために、ＰＢＣＨが占有するチャネルリソースでフィラー信号を送信する。
【０１３２】
そのうち、端末機器がデータを送信するように支援するための当該情報は、セル識別子、同期信号で使用されるビームフォーミングの識別子、同期信号の送信パワー、ライセンスフリーの（Ｇｒａｎｔ  ｆｒｅｅ）アップリンク送信のリソース割り当て、ライセンスフリーのアップリンク送信で使用されるキャリアセンシング方法、又はネットワーク機器がキャリアセンシングをする時に使用されるパワー閾値などのうち少なくとも１つであってもよい。
【０１３３】
理解すべきものとして、異なるシーンで送信されたＰＢＣＨの内容は異なり、例えば、シーン１で送信されたのはＰＢＣＨ１（即ち、第２のＰＢＣＨ）であり、シーン２、３、４、５で送信されたのはＰＢＣＨ２（即ち、第１のＰＢＣＨ）であるため、端末機器に対して、現在、受信したＰＢＣＨがＰＢＣＨ１に従って解析するか又はＰＢＣＨ２に従って解析するかを明確する必要があり、そうしてからこそ、ＰＢＣＨを正確に受信できる。ＰＢＣＨ１はシーン１のみで発生し、シーン１では、端末機器はライセンスドスペクトルでのメインキャリアを介してネットワークにアクセスするため、ライセンスドスペクトルでのメインキャリアを介して端末機器にシグナリング（即ち、第１の指示情報）を送信し、ライセンスフリーのスペクトルでのセカンダリキャリアを介して送信されたのは、ＰＢＣＨ１であるかＰＢＣＨ２であるかを端末機器に知らせることができる。端末機器から見ると、端末機器は、ライセンスフリーのスペクトルでのセカンダリキャリアでネットワーク機器によって送信されたものをデフォルトにＰＢＣＨ２とすることができ、端末機器は、ライセンスドスペクトルでのシグナリングを受信してセカンダリキャリアで送信されたのがＰＢＣＨ１であると確認した場合のみ、ＰＢＣＨ１として受信する。
【０１３４】
一実施形態において、ネットワーク機器は、ライセンスドスペクトルでのメインキャリアを介して端末機器に１ビットのビットマップシグナリングを送信し、当該ビットマップシグナリングを介してライセンスフリーのスペクトルでのセカンダリキャリアを介して送信されたのがＰＢＣＨ１であるか又はＰＢＣＨ２であるかを端末機器に知らせる。一実施形態において、ライセンスフリーのスペクトルでのセカンダリキャリアを介して送信されたのはＰＢＣＨ１である場合、ネットワーク機器は、ライセンスドスペクトルでのメインキャリアを介してライセンスフリーのスペクトルでのセカンダリキャリアＰＢＣＨ１の関連パラメータを端末機器に設定し、ライセンスフリーのスペクトルでのセカンダリキャリアを介して送信されたのはＰＢＣＨ２である場合、ネットワーク機器は、端末機器にＰＢＣＨ１の関連パラメータを設定しない。
【０１３５】
応用例２
【０１３６】
上記シーン２、３、４、５では、ライセンスフリーのスペクトルでのＮＲキャリアのいずれでもＳＳＢを送信し、シーン１では、ライセンスフリーのスペクトルでのＮＲキャリアでＳＳのみを送信し、ＰＢＣＨを送信しない。シーン１では、ＰＢＣＨ送信の関連情報は何１つもないため、リソースを浪費しないようにするために、ＰＢＣＨ送信用のスペクトルリソースをデータチャネル又は制御チャネルでの送信に使用してもよい。
【０１３７】
理解すべきものとして、異なるシーン下で送信された同期用の信号が異なり、例えば、シーン１で送信されたのはＳＳであり、シーン２、３、４、５で送信されたのはＳＳＢであるため、端末機器に対して、現在、ネットワーク機器によって送信されたのがＳＳであるか又はＳＳＢであるかを明確にする必要があり、これにより、正しいレートマッチングを完了する。ＳＳはシーン１のみで発生し、シーン１では、端末機器は、ライセンスドスペクトルでのメインキャリアを介してネットワークにアクセスするため、ライセンスドスペクトルでのメインキャリアを介して端末機器にシグナリング（即ち、第１の指示情報）を送信し、ライセンスフリーのスペクトルでのセカンダリキャリアを介して送信されたのがＳＳであるか又はＳＳＢであるかを端末機器に知らせることができる。端末機器から見ると、端末機器は、ライセンスフリーのスペクトルでのセカンダリキャリアでネットワーク機器によって送信されたものをデフォルトにＳＳＢとすることができ、端末機器は、ＣＡシーンであり、かつ、ライセンスドスペクトルでのシグナリングを受信してセカンダリキャリアで送信されたのがＳＳであると確認した場合のみ、ＳＳのみを受信する。
【０１３８】
一実施形態において、ネットワーク機器は、ライセンスドスペクトルでのメインキャリアを介して端末機器に１ビットのビットマップシグナリングを送信し、当該ビットマップシグナリングによってライセンスフリーのスペクトルでのセカンダリキャリアを介して送信されたのがＳＳであるか又はＳＳＢであるかを端末機器に知らせる。一実施形態において、ライセンスフリーのスペクトルでのセカンダリキャリアを介して送信されたのがＳＳである場合、ネットワーク機器は、ライセンスドスペクトルでのメインキャリアによって、ライセンスフリーのスペクトルでのセカンダリキャリアがＳＳのパラメータのみを送信するように端末機器に設定し、ライセンスフリーのスペクトルでのセカンダリキャリアを介して送信されたのがＳＳＢである場合、ネットワーク機器は端末機器に当該パラメータを設定しない。
【０１３９】
図５は、本発明の実施例に係る信号伝送装置の構造構成概略図１であり、本実施例に係る信号伝送装置は、端末機器に適用され、前記装置は、
第１のキャリアでの同期信号送信モードを決定するための決定ユニット５０１であって、前記同期信号送信モードは、第１の送信モード又は第２の送信モードである決定ユニット５０１と、
前記同期信号送信モードに基づいて前記第１のキャリアでの情報を受信するための第１の受信ユニット５０２と、を含む。
【０１４０】
１つの実施形態では、前記装置はさらに、
第２のキャリアでネットワーク機器によって送信された第１の指示情報を受信するための第２の受信ユニット５０３であって、前記第１の指示情報は、前記第１のキャリアでの同期信号送信モードが前記第１の送信モードであるか、又は前記第２の送信モードであるかを決定するためのものである第２の受信ユニット５０３をさらに含み、
前記決定ユニット５０１は、前記第１の指示情報に基づいて前記第１のキャリアでの前記同期信号送信モードを決定するためのものである。
【０１４１】
１つの実施形態では、第２の受信ユニット５０３は、第２のキャリアで前記ネットワーク機器によって送信された第１の指示情報を受信しない場合、前記決定ユニット５０１は、前記第１のキャリアでの前記同期信号送信モードが前記第１の送信モードであると決定するためのものである。
【０１４２】
１つの実施形態では、前記同期信号送信モードが前記第１の送信モードである場合、
前記第１の受信ユニット５０２は、前記第１のキャリアでの第１のＳＳＢを受信するためのものであり、前記第１のＳＳＢは、プライマリ同期信号、セカンダリ同期信号及び第１のＰＢＣＨを含む。
【０１４３】
１つの実施形態では、前記同期信号送信モードが前記第２の送信モードである場合、
前記第１の受信ユニット５０２は、前記第１のキャリアでの第２のＳＳＢを受信するためのものであり、前記第２のＳＳＢは、プライマリ同期信号、セカンダリ同期信号及び第２のＰＢＣＨを含む。
【０１４４】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【０１４５】
１つの実施形態では、前記同期信号送信モードが前記第２の送信モードである場合、
前記第１の受信ユニット５０２は、前記第１のキャリアでのＳＳを受信するためのものであり、前記ＳＳは、プライマリ同期信号とセカンダリ同期信号を含む。
【０１４６】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【０１４７】
１つの実施形態では、前記ネットワーク機器が配置されている通信ネットワークはキャリアアグリゲーション（ＣＡ）デプロイメントである場合、前記第１のキャリアでの前記同期信号送信モードが前記第２の送信モードであり、
前記ネットワーク機器が配置されている通信ネットワークはＣＡデプロイメントではない場合、前記第１のキャリアでの前記同期信号送信モードが前記第１の送信モードである。
【０１４８】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【０１４９】
当業者は、図５に示すような信号伝送装置における各ユニットが実現する機能は前記信号伝送方法の関連説明を参照して理解することができると理解すべきである。図５に示すような信号伝送装置における各ユニットの機能はプロセッサで実行されるプログラムを介して実現されてもよく、具体的な論理回路を介して実現されてもよい。
【０１５０】
図６は、本発明の実施例に係る信号伝送装置の構造構成概略図２であり、本実施例に係る信号伝送装置は、ネットワーク機器に適用され、前記装置は、
第１のキャリアでの同期信号送信モードを決定するための決定ユニット６０１であって、前記同期信号送信モードは、第１の送信モード又は第２の送信モードである決定ユニット６０１と、
前記同期信号送信モードに従って前記第１のキャリアで端末機器に情報を送信するための第１の送信ユニット６０２と、を含む。
【０１５１】
１つの実施形態では、前記装置はさらに、
第２のキャリアで前記端末機器に第１の指示情報を送信するための第２の送信ユニット６０３であって、前記第１の指示情報は、前記第１のキャリアでの同期信号送信モードが前記第１の送信モードであるか、又は前記第２の送信モードであるかを決定するためのものである第２の送信ユニット６０３を含む。
【０１５２】
１つの実施形態では、前記同期信号送信モードが前記第１の送信モードである場合、
前記第１の送信ユニット６０２は、前記第１のキャリアで第１のＳＳＢを送信するためのものであり、前記第１のＳＳＢは、プライマリ同期信号、セカンダリ同期信号及び第１のＰＢＣＨを含む。
【０１５３】
１つの実施形態では、前記同期信号送信モードが前記第２の送信モードである場合、
前記第１の送信ユニット６０２は、前記第１のキャリアで第２のＳＳＢを送信するためのものであり、前記第２のＳＳＢは、プライマリ同期信号、セカンダリ同期信号及び第２のＰＢＣＨを含む。
【０１５４】
１つの実施形態では、前記第２のＰＢＣＨは、セル識別子、同期信号で使用されるビームフォーミングの識別子、同期信号の送信パワー、ライセンスフリーのアップリンク送信のリソース割り当て、ライセンスフリーのアップリンク送信で使用されるキャリアセンシング方法、ネットワーク機器がキャリアセンシングをする時に使用されるパワー閾値のうち少なくとも１種の情報を含む。
【０１５５】
１つの実施形態では、前記同期信号送信モードが前記第２の送信モードである場合、
前記第１の送信ユニット６０２は、前記第１のキャリアでＳＳを送信するためのものであり、前記ＳＳは、プライマリ同期信号とセカンダリ同期信号を含む。
【０１５６】
１つの実施形態では、第１のＰＢＣＨ又は第２のＰＢＣＨに対応する前記第１のキャリアにおける送信リソースは、ダウンリンクデータチャネル又はダウンリンク制御チャネルを送信するためのものであり、または、
第１のＰＢＣＨ又は第２のＰＢＣＨに対応する前記第１のキャリアにおける送信リソースは、フィラー信号を送信するためのものであり、または、
第１のＰＢＣＨ又は第２のＰＢＣＨに対応する前記第１のキャリアにおける送信リソースは、情報を送信しない。
【０１５７】
１つの実施形態では、前記ネットワーク機器が配置されている通信ネットワークはＣＡデプロイメントである場合、前記決定ユニットは、前記第１のキャリアでの前記同期信号送信モードが前記第２の送信モードであると決定し、
前記ネットワーク機器が配置されている通信ネットワークはＣＡデプロイメントではない場合、前記決定ユニットは、前記第１のキャリアでの前記同期信号送信モードが前記第１の送信モードであると決定する。
【０１５８】
１つの実施形態では、前記第１のキャリアでの周波数ドメインリソースは、前記ネットワーク機器を含む少なくとも２つの通信機器によって共有される周波数ドメインリソースであり、前記第２のキャリアでの周波数ドメインリソースは、前記ネットワーク機器専用の周波数ドメインリソースである。
【０１５９】
当業者は、図６に示すような信号伝送装置における各ユニットが実現する機能は上記信号伝送方法の関連説明を参照して理解することができると理解すべきである。図６に示すような信号伝送装置における各ユニットの機能はプロセッサで実行されるプログラムを介して実現されてもよく、具体的な論理回路を介して実現されてもよい。
【０１６０】
本発明の実施例に係る上記信号伝送装置は、ソフトウェア機能モジュールの形で実現され、独立した製品として販売又は使用される場合、１つのコンピュータ可読記憶媒体に記憶されてもよい。このような理解に基づき、本発明の実施例に係る技術的解決手段は、本質的に、又は従来の技術に寄与する部分がソフトウェア製品の形で具体化されることができ、当該コンピュータソフトウェア製品は、１つの記憶媒体に記憶され、１つのコンピュータ機器（パーソナルコンピュータ、サーバ、又はネットワーク機器などであってもよい）が、本発明の各実施例に係る前記方法のすべて又は一部を実行するようにするための命令をいくつか含む。前述の記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク又はコンパクトディスクなどプログラムコードが記憶できる様々な媒体を含む。このようにして、本発明の実施例は、ハードウェアとソフトウェアの特定の組み合わせに限定されない。
【０１６１】
相応的に、本発明の実施例はまた、コンピュータ記憶媒体を提供し、前記コンピュータ記憶媒体には、コンピュータ実行可能な命令が記憶されており、前記コンピュータ実行可能な命令がプロセッサによって実行されるとき、本発明の実施例に係る上記信号伝送方法を実現する。
【０１６２】
図７は、本発明の実施例に係るコンピュータ機器の構造構成概略図であり、当該コンピュータ機器は、端末機器であってもよく、ネットワーク機器であってもよい。図７に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図７に示すような構造が例示的なものにすぎず、上記電子装置の構造を限定するためのものではないと理解できる。例えば、コンピュータ機器１００はさらに、図７に示すコンポーネントを上回る又は下回る数のコンポーネントを含んでもよく、または、図７に示す設定と異なる設定を持ってもよい。
【０１６３】
メモリ１００４は、本発明の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記の方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続されることができる。上記ネットワークの実例は、インターネット、イントラネット、ローカルエリアネットワーク、モバイル通信ネットワーク、及びそれらの組み合わせを含むが、それらに限定されない。
【０１６４】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができるネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方法でインターネットと通信するための無線周波数（ＲＦ、Ｒａｄｉｏ  Ｆｒｅｑｕｅｎｃｙ）モジュールであってもよい。
【０１６５】
本発明の実施例に記載の技術的解決手段は、競合することなく任意に組み合わせることができる。
【０１６６】
本発明に係るいくつかの実施例では、開示された方法及びスマート機器は、他の方式で実現することができると理解すべきである。以上に説明された機器の実施例は例示的なものにすぎず、例えば、前記ユニットの分割は、論理機能での分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、説明又は検討した各コンポーネントの結合又は直接的な結合又は通信接続は、いくつかのインタフェース、機器又はユニットを用いる間接的接続又は通信接続としてもよく、電気的形態、機械的形態又はその他の形態としてもよい。
【０１６７】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１６８】
また、本発明の各実施例では、各機能ユニットが１つの処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１６９】
以上の内容は、本発明の具体的実施形態にすぎず、本発明の保護範囲はこれらに限定されず、当業者であれば、本発明で開示される技術的範囲内に、容易に想像しうる全ての変更又は置換は、いずれも本発明の保護範囲内に含まれるべきである。
【国際調査報告】
2021515428.tif 000010
2021515428.tif 000011
2021515428.tif 000012
2021515428.tif 000013